(57)【要約】【課題】底面部の四辺から立設した正面部と左側面部と右側面部と背面部とを有し、正面部が背面部よりも低く形成された商品陳列具において、扁平状に折りたたみ可能であるとともに、底面部の強度を大きくして、重量の大きい被陳列物を陳列した状態で商品陳列具を持ち上げても底が抜けることがない商品陳列具を提供する。【解決手段】底板部１０から正面部Ａ２０、右側面部Ｂ２０、背面部Ｃ２０、左側面部Ｄ２０が連設され、右側面部Ｂ２０（左側面部Ｄ２０）は、外側板部Ｂ２２（Ｄ２２）、縁板部Ｂ２４（Ｄ２４）、内側板部Ｂ２６（Ｄ２６）、折込み片部Ｂ３０、Ｂ４０（Ｄ３０、Ｄ４０）、接着板部Ｂ３４、Ｂ４４（Ｄ３４、Ｄ４４）を有し、接着板部Ｂ３１、Ｂ４１（Ｄ３１、Ｄ４１）は外側板部Ｂ２２（Ｄ２２）に接着され、接着板部Ｂ３４、Ｂ４４（Ｄ３４、Ｄ４４）は内側板部Ｂ２６（Ｄ２６）に接着されている。【選択図】図６
0003197492.tif 000002
【実用新案登録請求の範囲】
【請求項１】
１枚のシート状のブランクにより形成された陳列具であって、
互いに平行な相対する２辺である右辺部及び左辺部と、右辺部及び左辺部と直角をなす互いに平行な他の相対する２辺である正面辺部と背面辺部とを有する底板部（１０）と、
底板部の右辺部から折れ線を介して連設された右側壁構成部で、底板部から折れ線を介して連設された右外側板部（Ｂ２２）と、右外側板部の底板部側とは反対側の辺部から折れ線を介して連設された帯状の右縁板部（Ｂ２４）と、右縁板部の右外側板部側とは反対側の辺部から折れ線を介して連設された右内側板部（Ｂ２６）とを有する右側壁構成部（Ｂ２１）と、
底板部の左辺部から折れ線を介して連設された左側壁構成部で、底板部から折れ線を介して連設された左外側板部（Ｄ２２）と、左外側板部の底板部側とは反対側の辺部から折れ線を介して連設された帯状の左縁板部（Ｄ２４）と、左縁板部の左外側板部側とは反対側の辺部から折れ線を介して連設された左内側板部（Ｄ２６）とを有する左側壁構成部（Ｄ２１）と、
底板部の正面辺部から折れ線を介して連設された正面板部（Ａ２２）と、
底板部の背面辺部から折れ線を介して連設された背面板部（Ｄ２２）と、
右外側板部の正面側の側辺から折れ線を介して連設されるとともに、正面板部の右側面側の側辺から折れ線を介して連設された前右折込み片部で、底板部の正面側で右側面側の角部から伸びた第１折込み用折れ線と右外側板部の側辺間に設けられた前右接着板部（Ｂ３１）と、該第１折込み用折れ線と正面板部間に設けられた前右連結板部（Ｂ３２）とを有し、前右接着板部が右外側板部との間の折れ線を介して右外側板部に対して折り返されて右外側板部の内側の面に接着された前右折込み片部（Ｂ３０）と、
右外側板部の背面側の側辺から折れ線を介して連設されるとともに、背面板部の右側面側の側辺から折れ線を介して連設された後右折込み片部で、底板部の背面側で右側面側の角部から伸びた第２折込み用折れ線と右外側板部の側辺間に設けられた後右接着板部（Ｂ４１）と、該第２折込み用折れ線と背面板部間に設けられた後右連結板部（Ｂ４２）とを有し、後右接着板部が右外側板部との間の折れ線を介して右外側板部に対して折り返されて右外側板部の内側の面に接着された後右折込み片部（Ｂ４０）と、
左外側板部の正面側の側辺から折れ線を介して連設されるとともに、正面板部の左側面側の側辺から折れ線を介して連設された前左折込み片部で、底板部の正面側で左側面側の角部から伸びた第３折込み用折れ線と左外側板部の側辺間に設けられた前左接着板部（Ｄ３１）と、該第３折込み用折れ線と正面板部間に設けられた前左連結板部（Ｄ３２）とを有し、後右接着板部が左外側板部との間の折れ線を介して左外側板部に対して折り返されて左外側板部の内側の面に接着された前左折込み片部（Ｄ３０）と、
左外側板部の背面側の側辺から折れ線を介して連設されるとともに、背面板部の左側面側の側辺から折れ線を介して連設された後左折込み片部で、底板部の背面側で左側面側の角部から伸びた第４折込み用折れ線と左外側板部の側辺間に設けられた後左接着板部（Ｄ４１）と、該第４折込み用折れ線と背面板部間に設けられた後左連結板部（Ｄ４２）とを有し、後左接着板部が左外側板部との間の折れ線を介して左外側板部に対して折り返されて左外側板部の内側の面に接着された後左折込み片部（Ｄ４０）と、
を有し、
正面板部の底板部側の辺部と底板部側とは反対側の辺部間の長さである正面板部の上下方向の長さが、背面板部の底板部側の辺部と底板部側とは反対側の辺部間の長さである背面板部の上下方向の長さよりも短く形成され、
右外側板部の底板部側の辺部と底板部側とは反対側の辺部間の長さである右外側板部の上下方向の長さと、左外側板部の底板部側の辺部と底板部側とは反対側の辺部間の長さである左外側板部の上下方向の長さが、背面板部の上下方向の長さ以上の長さに形成され、
陳列具の折畳み状態では、右側壁構成部と左側壁構成部とが底板部に対して外側に倒れた状態であるとともに、正面板部と背面板部とが底板部に対して内側に倒れた状態であり、
陳列具の折畳み状態から右外側板部と左外側板部を底板部に対して上方に回動させることにより、前右折込み片部が第１折込み用折れ線を介して二つ折りの状態となり、後右折込み片部が第２折込み用折れ線を介して二つ折りの状態となり、前左折込み片部が第３折込み用折れ線を介して二つ折りの状態となり、後左折込み片部が第４折込み用折れ線を介して二つ折りの状態となり、前右折込み片部と後右折込み片部と前左折込み片部と後左折込み片部とがそれぞれ二つ折りの状態となることにより正面板部と背面板部が底板部に対して立ち上がった状態となり、右内側板部を右縁板部を介して右外側板部の内側に位置させるとともに左内側板部を左縁板部を介して左外側板部の内側に位置させることにより、陳列具が組み立てられ、
陳列具を組み立てた状態では、正面板部の上端の高さが背面板部の上端の高さよりも低く形成され、右側壁構成部の上端の高さと左側壁構成部の上端の高さとが、背面板部の上端の高さ以上の高さであることを特徴とする陳列具。
【請求項２】
底板部の右辺部に沿って右係合用穴部（１５、１６）が設けられるとともに、底板部の左辺部に沿って左係合用穴部（１７、１８）が設けられ、
右側壁構成部において、右外側板部の上端と右内側板部の上端の間における右縁板部が形成されていない間隙部又は右縁板部に形成された穴部から構成された右係合部用開口部（Ｂ５０、Ｂ５２）が形成されるとともに、左側壁構成部において、左外側板部の上端と左内側板部の上端の間における左縁板部が形成されていない間隙部又は左縁板部に形成された穴部から構成された左係合部用開口部（Ｄ５０、Ｄ５２）が形成され、
前右接着板部の底板部側とは反対側の端部から突出した第１係合部（８１ａ）と、後右接着板部の底板部側とは反対側の端部から突出した第２係合部（８２ａ）と、前左接着板部の底板部側とは反対側の端部から突出した第３係合部（８３ａ）と、後左接着板部の底板部側とは反対側の端部から突出した第４係合部（８４ａ）とが設けられ、
陳列具を組み立てた状態において、第１係合部と第２係合部とが右係合部用開口部から上方に突出し、第３係合部と第４係合部とが左係合部用開口部から上方に突出し、
２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする請求項１に記載の陳列具。
【請求項３】
底板部の右辺部に沿って右係合用穴部（１５、１６）が設けられるとともに、底板部の左辺部に沿って左係合用穴部（１７、１８）が設けられ、
右側壁構成部において、右外側板部の上端と右内側板部の上端の間における右縁板部が形成されていない間隙部又は右縁板部に形成された穴部から構成された右係合部用開口部（Ｂ５０、Ｂ５２）が形成されるとともに、左側壁構成部において、左外側板部の上端と左内側板部の上端の間における左縁板部が形成されていない間隙部又は左縁板部に形成された穴部から構成された左係合部用開口部（Ｄ５０、Ｄ５２）が形成され、
右内側板部の正面側の辺部から折れ線を介して連設された第２前右接着板部で、右内側板部との間の折れ線を介して右内側板部に対して折り返されて右内側板部に接着された第２前右接着板部（Ｂ３４）と、右内側板部の背面側の辺部から折れ線を介して連設された第２後右接着板部で、右内側板部との間の折れ線を介して右内側板部に対して折り返されて右内側板部に接着された第２後右接着板部（Ｂ４４）と、左内側板部の正面側の辺部から折れ線を介して連設された第２前左接着板部で、左内側板部との間の折れ線を介して左内側板部に対して折り返されて左内側板部に接着された第２前左接着板部（Ｄ３４）と、左内側板部の背面側の辺部から折れ線を介して連設された第２後左接着板部で、左内側板部との間の折れ線を介して左内側板部に対して折り返されて左内側板部に接着された第２後左接着板部（Ｄ４４）とが設けられ、
前右接着板部から連設されるとともに第２前右接着板部から連設された第１係合部で、前右接着板部から突出した前右第１突片部（８１ａ）と、第２前右接着板部から突出するとともに、前右第１突片部と折れ線を介して連設された前右第２突片部（８１ｂ）とを有する第１係合部（８１）と、後右接着板部から連設されるとともに第２後右接着板部から連設された第２係合部で、後右接着板部から突出した後右第１突片部（８２ａ）と、第２後右接着板部から突出するとともに、後右第１突片部と折れ線を介して連設された後右第２突片部（８２ｂ）とを有する第２係合部（８２）と、前左接着板部から連設されるとともに第２前左接着板部から連設された第３係合部で、前左接着板部から突出した前左第１突片部（８３ａ）と、第２前左接着板部から突出するとともに、前左第１突片部と折れ線を介して連設された前左第２突片部（８３ｂ）とを有する第３係合部（８３）と、後左接着板部から連設されるとともに第２後左接着板部から連設された第４係合部で、後左接着板部から突出した後左第１突片部（８４ａ）と、第２後左接着板部から突出するとともに、後左第１突片部と折れ線を介して連設された後左第２突片部（８４ｂ）とを有する第４係合部（８４）とが設けられ、
陳列具を組み立てた状態において、第１係合部と第２係合部とが右係合部用開口部から上方に突出し、第３係合部と第４係合部とが左係合部用開口部から上方に突出し、
２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする請求項１に記載の陳列具。
【請求項４】
右内側板部の右縁板部側とは反対側の辺部から突出した右突状部（７５、７６）が設けられるとともに、左内側板部の左縁板部側とは反対側の辺部から突出した左突状部（７７、７８）が設けられ、
陳列具を組み立てた状態では、右突状部が右係合用穴部に係止し、左突状部が左係合用穴部に係止することを特徴とする請求項２又は３に記載の陳列具。
【請求項５】
１枚のシート状のブランクにより形成された陳列具であって、
互いに平行な相対する２辺である右辺部及び左辺部と、右辺部及び左辺部と直角をなす互いに平行な他の相対する２辺である正面辺部と背面辺部とを有し、右辺部に沿って右係合用穴部（１５、１６）が設けられるとともに、左辺部に沿って左係合用穴部（１７、１８）が設けられた底板部（１０）と、
底板部の右辺部から折れ線を介して連設された右側壁構成部で、底板部から折れ線を介して連設された右外側板部（Ｂ２２）と、右外側板部の底板部側とは反対側の辺部から折れ線を介して連設された帯状の右縁板部（Ｂ２４）と、右縁板部の右外側板部側とは反対側の辺部から折れ線を介して連設された右内側板部で、右縁板部側とは反対側の辺部から突出した右突状部（７５、７６）を有する右内側板部（Ｂ２６）とを有し、右外側板部の上端と右内側板部の上端の間における右縁板部が形成されていない間隙部又は右縁板部に形成された穴部から構成された右係合部用開口部（Ｂ５０、Ｂ５２）が形成された右側壁構成部（Ｂ２１）と、
底板部の左辺部から折れ線を介して連設された左側壁構成部で、底板部から折れ線を介して連設された左外側板部（Ｄ２２）と、左外側板部の底板部側とは反対側の辺部から折れ線を介して連設された帯状の左縁板部（Ｄ２４）と、左縁板部の左外側板部側とは反対側の辺部から折れ線を介して連設された左内側板部で、左縁板部側とは反対側の辺部から突出した左突状部（７７、７８）を有する左内側板部（Ｄ２６）とを有し、左外側板部の上端と左内側板部の上端の間における左縁板部が形成されていない間隙部又は左縁板部に形成された穴部から構成された左係合部用開口部（Ｄ５０、Ｄ５２）が形成された左側壁構成部（Ｄ２１）と、
底板部の正面辺部から折れ線を介して連設された正面板部（Ａ２２）と、
底板部の背面辺部から折れ線を介して連設された背面板部（Ｄ２２）と、
右外側板部の正面側の側辺から折れ線を介して連設されるとともに、正面板部の右側面側の側辺から折れ線を介して連設された前右折込み片部で、底板部の正面側で右側面側の角部から伸びた第１折込み用折れ線と右外側板部の側辺間に設けられた前右接着板部（Ｂ３１）と、該第１折込み用折れ線と正面板部間に設けられた前右連結板部（Ｂ３２）とを有し、前右接着板部が右外側板部との間の折れ線を介して右外側板部に対して折り返されて右外側板部の内側の面に接着された前右折込み片部（Ｂ３０）と、
右外側板部の背面側の側辺から折れ線を介して連設されるとともに、背面板部の右側面側の側辺から折れ線を介して連設された後右折込み片部で、底板部の背面側で右側面側の角部から伸びた第２折込み用折れ線と右外側板部の側辺間に設けられた後右接着板部（Ｂ４１）と、該第２折込み用折れ線と背面板部間に設けられた後右連結板部（Ｂ４２）とを有し、後右接着板部が右外側板部との間の折れ線を介して右外側板部に対して折り返されて右外側板部の内側の面に接着された後右折込み片部（Ｂ４０）と、
左外側板部の正面側の側辺から折れ線を介して連設されるとともに、正面板部の左側面側の側辺から折れ線を介して連設された前左折込み片部で、底板部の正面側で左側面側の角部から伸びた第３折込み用折れ線と左外側板部の側辺間に設けられた前左接着板部（Ｄ３１）と、該第３折込み用折れ線と正面板部間に設けられた前左連結板部（Ｄ３２）とを有し、後右接着板部が左外側板部との間の折れ線を介して左外側板部に対して折り返されて左外側板部の内側の面に接着された前左折込み片部（Ｄ３０）と、
左外側板部の背面側の側辺から折れ線を介して連設されるとともに、背面板部の左側面側の側辺から折れ線を介して連設された後左折込み片部で、底板部の背面側で左側面側の角部から伸びた第４折込み用折れ線と左外側板部の側辺間に設けられた後左接着板部（Ｄ４１）と、該第４折込み用折れ線と背面板部間に設けられた後左連結板部（Ｄ４２）とを有し、後左接着板部が左外側板部との間の折れ線を介して左外側板部に対して折り返されて左外側板部の内側の面に接着された後左折込み片部（Ｄ４０）と、
右内側板部の正面側の辺部から折れ線を介して連設された第２前右接着板部で、右内側板部との間の折れ線を介して右内側板部に対して折り返されて右内側板部に接着された第２前右接着板部（Ｂ３４）と、
右内側板部の背面側の辺部から折れ線を介して連設された第２後右接着板部で、右内側板部との間の折れ線を介して右内側板部に対して折り返されて右内側板部に接着された第２後右接着板部（Ｂ４４）と、
左内側板部の正面側の辺部から折れ線を介して連設された第２前左接着板部で、左内側板部との間の折れ線を介して左内側板部に対して折り返されて左内側板部に接着された第２前左接着板部（Ｄ３４）と、
左内側板部の背面側の辺部から折れ線を介して連設された第２後左接着板部で、左内側板部との間の折れ線を介して左内側板部に対して折り返されて左内側板部に接着された第２後左接着板部（Ｄ４４）と、
前右接着板部から連設されるとともに第２前右接着板部から連設された第１係合部で、前右接着板部から突出した前右第１突片部（８１ａ）と、第２前右接着板部から突出するとともに、前右第１突片部と折れ線を介して連設された前右第２突片部（８１ｂ）とを有する第１係合部（８１）と、
後右接着板部から連設されるとともに第２後右接着板部から連設された第２係合部で、後右接着板部から突出した後右第１突片部（８２ａ）と、第２後右接着板部から突出するとともに、後右第１突片部と折れ線を介して連設された後右第２突片部（８２ｂ）とを有する第２係合部（８２）と、
前左接着板部から連設されるとともに第２前左接着板部から連設された第３係合部で、前左接着板部から突出した前左第１突片部（８３ａ）と、第２前左接着板部から突出するとともに、前左第１突片部と折れ線を介して連設された前左第２突片部（８３ｂ）とを有する第３係合部（８３）と、
後左接着板部から連設されるとともに第２後左接着板部から連設された第４係合部で、後左接着板部から突出した後左第１突片部（８４ａ）と、第２後左接着板部から突出するとともに、後左第１突片部と折れ線を介して連設された後左第２突片部（８４ｂ）とを有する第４係合部（８４）と、
を有し、
正面板部の底板部側の辺部と底板部側とは反対側の辺部間の長さである正面板部の上下方向の長さが、背面板部の底板部側の辺部と底板部側とは反対側の辺部間の長さである背面板部の上下方向の長さよりも短く形成され、
右外側板部の底板部側の辺部と底板部側とは反対側の辺部間の長さである右外側板部の上下方向の長さと、左外側板部の底板部側の辺部と底板部側とは反対側の辺部間の長さである左外側板部の上下方向の長さが、背面板部の上下方向の長さ以上の長さに形成され、
陳列具の折畳み状態では、右側壁構成部と左側壁構成部とが底板部に対して外側に倒れた状態であるとともに、正面板部と背面板部とが底板部に対して内側に倒れた状態であり、
陳列具の折畳み状態から右外側板部と左外側板部を底板部に対して上方に回動させることにより、前右折込み片部が第１折込み用折れ線を介して二つ折りの状態となり、後右折込み片部が第２折込み用折れ線を介して二つ折りの状態となり、前左折込み片部が第３折込み用折れ線を介して二つ折りの状態となり、後左折込み片部が第４折込み用折れ線を介して二つ折りの状態となり、前右折込み片部と後右折込み片部と前左折込み片部と後左折込み片部とがそれぞれ二つ折りの状態となることにより正面板部と背面板部が底板部に対して立ち上がった状態となり、右内側板部を右縁板部を介して右外側板部の内側に位置させるとともに左内側板部を左縁板部を介して左外側板部の内側に位置させることにより、陳列具が組み立てられ、
陳列具を組み立てた状態では、第１係合部と第２係合部とが右係合部用開口部から上方に突出し、第３係合部と第４係合部とが左係合部用開口部から上方に突出し、右突状部が右係合用穴部に係止し、左突状部が左係合用穴部に係止し、正面板部の上端の高さが背面板部の上端の高さよりも低く形成され、右側壁構成部の上端の高さと左側壁構成部の上端の高さとが、背面板部の上端の高さ以上の高さであり、
２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする陳列具。
【請求項６】
正面板部の底板部側とは反対側の辺部から折れ線を介して連設された帯状の前縁板部（Ａ２４）と、前縁板部の正面板部側とは反対側の辺部から折れ線を介して連設された第２正面板部（Ａ２６）とが設けられ、
陳列具を組み立てた状態において、第２正面板部が正面板部の内側に位置することを特徴とする請求項１又は２又は３又は４又は５に記載の陳列具。
【請求項７】
第２正面板部の第２縁板部側とは反対側の辺部から突出した前突状部（７１、７２）が設けられるとともに、底板部の正面辺部に沿って前突状部が係止するための係止用穴部（１１、１２）が設けられていることを特徴とする請求項６に記載の陳列具。
【請求項８】
陳列具を組み立てた状態において背面板部の正面側に位置する第２背面板部（Ｃ２６）が設けられ、第２背面板部を背面板部の正面側の位置に固定するための固定手段（Ｃ２７、Ｃ２８、Ｃ２９）が設けられていることを特徴とする請求項１又は２又は３又は４又は５又は６又は７に記載の陳列具。
【請求項９】
固定手段が、第２背面板部の底板部側とは反対側の辺部である先端辺部から折れ線を介して連設された底フラップ（Ｃ２７）と、第２背面板部の右側面側の辺部から折れ線を介して連設された右横フラップで、第２背面板部の右側面側の辺部に対して傾斜する傾斜辺部で、第２背面板部の先端辺部側に行くほど第２背面板部の右側面側の辺部からの距離が長くなるように傾斜した傾斜辺部（Ｃ２８ｃ）を有する右横フラップ（Ｃ２８）と、第２背面板部の左側面側の辺部から折れ線を介して連設された左横フラップで、第２背面板部の左側面側の辺部に対して傾斜する傾斜辺部で、第２背面板部の先端辺部側に行くほど第２背面板部の左側面側の辺部からの距離が長くなるように傾斜した傾斜辺部（Ｃ２９ｃ）を有する左横フラップ（Ｃ２９）とを有し、
陳列具を組み立てた状態においては、底フラップと右フラップと左フラップとが第２背面板部に対して背面側に折曲され、底フラップは、底板部の上面に沿った状態で底板部に接し、右横フラップは、右内側板部に沿った状態で右内側板部に接し、左横フラップは、左内側板部に沿った状態で左内側板部に接し、右横フラップの傾斜辺部は、背面板部の正面側の面に接し、左横フラップの傾斜辺部は、背面板部の正面側の面に接し、第２背面板部は、上方にいくほど背面側となるように傾斜した状態となることを特徴とする請求項８に記載の陳列具。
【請求項１０】
固定手段が、第２背面板部の底板部側とは反対側の辺部である先端辺部から突出した背面突状部と、底板部の背面側の辺部に沿って形成され、背面突状部が係止するための係止用穴部とを有することを特徴とする請求項８に記載の陳列具。
【考案の詳細な説明】
【技術分野】
【０００１】
本考案は、商品陳列具に関するものであり、特に、底面部の四辺から立設した正面部と左側面部と右側面部と背面部とを有し、正面部が背面部よりも低く形成された商品陳列具に関するものである。
【背景技術】
【０００２】
従来より、底面部の四辺から立設した正面部と左側面部と右側面部と背面部とを有し、正面部が背面部よりも低く形成された商品陳列具においては、特許文献１に示す展示販売箱ように、背板２と側板３、５と前板４とがスリーブ状に形成され、底面がワンタッチ底に形成されたものが存在する。底面は、一方の相対する辺部から連設された底板７と他方の相対する辺部から連設された舌片８、９とを接着することにより形成されている。特許文献１の構成においては、背板２と側板３、５と前板４とがスリーブ状に形成され、底面がワンタッチ底に形成されているので、扁平状に折り畳むことが可能である。
【０００３】
また、特許文献２及び特許文献３に示すように、底面部と底面部の相対する一方の辺部から連設された第１側面部と相対する他方の辺部から連設された第２側面部とを有する箱体で、第１側面部の側辺から折り返して接着された折返し片部で第１側面部の側辺に対して約４５度に傾斜した辺部である傾斜辺部を有する折返し片部と、該傾斜辺部から連設されるとともに第２側面部の側辺から連設された連結片部とを有し、第１側面部を底面部に対して起立させることにより自動的に第２側面部が起立する箱体が知られている。このように、第１側面部を底面部に対して起立させることにより自動的に第２側面部が起立する箱体の場合には、２つの第１側面部と２つの第２側面部の高さ方向の長さは同一に形成されるのが一般的である。
【０００４】
また、特許文献４及び特許文献５に示すように、底面部と底面部の相対する一方の辺部から連設された第１側面部と相対する他方の辺部から連設された第２側面部とを有する箱体で、第１側面部の上端に第１突片が設けられるとともに、第１側面部と第２側面部間の折込み片に第２突片が設けられ、箱体を組み立てた際に、第１突片と第２突片とが重ね合わされるものが存在する。
【０００５】
また、特許文献６に示すように、底面部の辺部から外板部、上板部、内板部が順に連設され、外板部から上板部を経て内板部に伸びる一対の切断線を設け、該一対の切断線の間に上板部より上方に突出する係止部を形成するものが存在する。
【先行技術文献】
【特許文献】
【０００６】
【特許文献１】実開昭５９−１７９６７６号公報
【特許文献２】実公昭３３−１９２９５号公報
【特許文献３】実開昭５３−１００３３４号公報
【特許文献４】特開平９−２０７９４０号公報
【特許文献５】特開２００４−１７５４３３号公報
【特許文献６】特開２００５−１７０４１９号公報
【考案の概要】
【考案が解決しようとする課題】
【０００７】
しかし、特許文献１の構成の場合には、保管時や運搬時に扁平状に折り畳むことができるが、底面がワンタッチ底で構成され、底板と舌片とを接着することにより形成されているので、重量の大きい被陳列物を陳列した状態で商品陳列具を持ち上げた際に、接着強度が弱い場合には、底が抜けてしまうという問題がある。
【０００８】
そこで、底面部の四辺から立設した正面部と左側面部と右側面部と背面部とを有し、正面部が背面部よりも低く形成された商品陳列具において、扁平状に折りたたみ可能であるとともに、底面部の強度を大きくして、重量の大きい被陳列物を陳列した状態で商品陳列具を持ち上げても底が抜けることがない商品陳列具を提供することを目的とする。
【課題を解決するための手段】
【０００９】
本考案は上記問題点を解決するために創作されたものであって、第１には、１枚のシート状のブランクにより形成された陳列具であって、互いに平行な相対する２辺である右辺部及び左辺部と、右辺部及び左辺部と直角をなす互いに平行な他の相対する２辺である正面辺部と背面辺部とを有する底板部（１０）と、底板部の右辺部から折れ線を介して連設された右側壁構成部で、底板部から折れ線を介して連設された右外側板部（Ｂ２２）と、右外側板部の底板部側とは反対側の辺部から折れ線を介して連設された帯状の右縁板部（Ｂ２４）と、右縁板部の右外側板部側とは反対側の辺部から折れ線を介して連設された右内側板部（Ｂ２６）とを有する右側壁構成部（Ｂ２１）と、底板部の左辺部から折れ線を介して連設された左側壁構成部で、底板部から折れ線を介して連設された左外側板部（Ｄ２２）と、左外側板部の底板部側とは反対側の辺部から折れ線を介して連設された帯状の左縁板部（Ｄ２４）と、左縁板部の左外側板部側とは反対側の辺部から折れ線を介して連設された左内側板部（Ｄ２６）とを有する左側壁構成部（Ｄ２１）と、底板部の正面辺部から折れ線を介して連設された正面板部（Ａ２２）と、底板部の背面辺部から折れ線を介して連設された背面板部（Ｄ２２）と、右外側板部の正面側の側辺から折れ線を介して連設されるとともに、正面板部の右側面側の側辺から折れ線を介して連設された前右折込み片部で、底板部の正面側で右側面側の角部から伸びた第１折込み用折れ線と右外側板部の側辺間に設けられた前右接着板部（Ｂ３１）と、該第１折込み用折れ線と正面板部間に設けられた前右連結板部（Ｂ３２）とを有し、前右接着板部が右外側板部との間の折れ線を介して右外側板部に対して折り返されて右外側板部の内側の面に接着された前右折込み片部（Ｂ３０）と、右外側板部の背面側の側辺から折れ線を介して連設されるとともに、背面板部の右側面側の側辺から折れ線を介して連設された後右折込み片部で、底板部の背面側で右側面側の角部から伸びた第２折込み用折れ線と右外側板部の側辺間に設けられた後右接着板部（Ｂ４１）と、該第２折込み用折れ線と背面板部間に設けられた後右連結板部（Ｂ４２）とを有し、後右接着板部が右外側板部との間の折れ線を介して右外側板部に対して折り返されて右外側板部の内側の面に接着された後右折込み片部（Ｂ４０）と、左外側板部の正面側の側辺から折れ線を介して連設されるとともに、正面板部の左側面側の側辺から折れ線を介して連設された前左折込み片部で、底板部の正面側で左側面側の角部から伸びた第３折込み用折れ線と左外側板部の側辺間に設けられた前左接着板部（Ｄ３１）と、該第３折込み用折れ線と正面板部間に設けられた前左連結板部（Ｄ３２）とを有し、後右接着板部が左外側板部との間の折れ線を介して左外側板部に対して折り返されて左外側板部の内側の面に接着された前左折込み片部（Ｄ３０）と、左外側板部の背面側の側辺から折れ線を介して連設されるとともに、背面板部の左側面側の側辺から折れ線を介して連設された後左折込み片部で、底板部の背面側で左側面側の角部から伸びた第４折込み用折れ線と左外側板部の側辺間に設けられた後左接着板部（Ｄ４１）と、該第４折込み用折れ線と背面板部間に設けられた後左連結板部（Ｄ４２）とを有し、後左接着板部が左外側板部との間の折れ線を介して左外側板部に対して折り返されて左外側板部の内側の面に接着された後左折込み片部（Ｄ４０）と、を有し、正面板部の底板部側の辺部と底板部側とは反対側の辺部間の長さである正面板部の上下方向の長さが、背面板部の底板部側の辺部と底板部側とは反対側の辺部間の長さである背面板部の上下方向の長さよりも短く形成され、右外側板部の底板部側の辺部と底板部側とは反対側の辺部間の長さである右外側板部の上下方向の長さと、左外側板部の底板部側の辺部と底板部側とは反対側の辺部間の長さである左外側板部の上下方向の長さが、背面板部の上下方向の長さ以上の長さに形成され、陳列具の折畳み状態では、右側壁構成部と左側壁構成部とが底板部に対して外側に倒れた状態であるとともに、正面板部と背面板部とが底板部に対して内側に倒れた状態であり、陳列具の折畳み状態から右外側板部と左外側板部を底板部に対して上方に回動させることにより、前右折込み片部が第１折込み用折れ線を介して二つ折りの状態となり、後右折込み片部が第２折込み用折れ線を介して二つ折りの状態となり、前左折込み片部が第３折込み用折れ線を介して二つ折りの状態となり、後左折込み片部が第４折込み用折れ線を介して二つ折りの状態となり、前右折込み片部と後右折込み片部と前左折込み片部と後左折込み片部とがそれぞれ二つ折りの状態となることにより正面板部と背面板部が底板部に対して立ち上がった状態となり、右内側板部を右縁板部を介して右外側板部の内側に位置させるとともに左内側板部を左縁板部を介して左外側板部の内側に位置させることにより、陳列具が組み立てられ、陳列具を組み立てた状態では、正面板部の上端の高さが背面板部の上端の高さよりも低く形成され、右側壁構成部の上端の高さと左側壁構成部の上端の高さとが、背面板部の上端の高さ以上の高さであることを特徴とする。
【００１０】
第１の構成においては、陳列具を組み立てた状態では、右側壁構成部の上端の高さと左側壁構成部の上端の高さとが、背面板部の上端の高さ以上の高さであるので、陳列具を積み重ねることができ、正面板部の上端の高さが背面板部の上端の高さよりも低く形成されるので、陳列具を積み重ねた状態で、下側の陳列具における正面板部よりも上側が正面側に開口し、陳列具を積み重ねた状態でも、陳列具内に陳列された被陳列物を陳列具の正面側から取り出すことができる。
【００１１】
また、底板部１枚の板部により形成されているので、重量の大きい被陳列物を陳列した状態で陳列具を持ち上げても底が抜けることがない。
【００１２】
なお、上記第１の構成において、２つの陳列具を積み重ねた状態では、下側の陳列具における正面板部よりも上側が正面側に開口しているものとしてもよい。
【００１３】
また、第２には、上記第１の構成において、底板部の右辺部に沿って右係合用穴部（１５、１６）が設けられるとともに、底板部の左辺部に沿って左係合用穴部（１７、１８）が設けられ、右側壁構成部において、右外側板部の上端と右内側板部の上端の間における右縁板部が形成されていない間隙部又は右縁板部に形成された穴部から構成された右係合部用開口部（Ｂ５０、Ｂ５２）が形成されるとともに、左側壁構成部において、左外側板部の上端と左内側板部の上端の間における左縁板部が形成されていない間隙部又は左縁板部に形成された穴部から構成された左係合部用開口部（Ｄ５０、Ｄ５２）が形成され、
前右接着板部の底板部側とは反対側の端部から突出した第１係合部（８１ａ）と、後右接着板部の底板部側とは反対側の端部から突出した第２係合部（８２ａ）と、前左接着板部の底板部側とは反対側の端部から突出した第３係合部（８３ａ）と、後左接着板部の底板部側とは反対側の端部から突出した第４係合部（８４ａ）とが設けられ、陳列具を組み立てた状態において、第１係合部と第２係合部とが右係合部用開口部から上方に突出し、第３係合部と第４係合部とが左係合部用開口部から上方に突出し、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする。
【００１４】
第２の構成によれば、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合するので、２つの陳列具の積重ね状態を安定して維持することができる。
【００１５】
また、第３には、上記第１の構成において、底板部の右辺部に沿って右係合用穴部（１５、１６）が設けられるとともに、底板部の左辺部に沿って左係合用穴部（１７、１８）が設けられ、右側壁構成部において、右外側板部の上端と右内側板部の上端の間における右縁板部が形成されていない間隙部又は右縁板部に形成された穴部から構成された右係合部用開口部（Ｂ５０、Ｂ５２）が形成されるとともに、左側壁構成部において、左外側板部の上端と左内側板部の上端の間における左縁板部が形成されていない間隙部又は左縁板部に形成された穴部から構成された左係合部用開口部（Ｄ５０、Ｄ５２）が形成され、右内側板部の正面側の辺部から折れ線を介して連設された第２前右接着板部で、右内側板部との間の折れ線を介して右内側板部に対して折り返されて右内側板部に接着された第２前右接着板部（Ｂ３４）と、右内側板部の背面側の辺部から折れ線を介して連設された第２後右接着板部で、右内側板部との間の折れ線を介して右内側板部に対して折り返されて右内側板部に接着された第２後右接着板部（Ｂ４４）と、左内側板部の正面側の辺部から折れ線を介して連設された第２前左接着板部で、左内側板部との間の折れ線を介して左内側板部に対して折り返されて左内側板部に接着された第２前左接着板部（Ｄ３４）と、左内側板部の背面側の辺部から折れ線を介して連設された第２後左接着板部で、左内側板部との間の折れ線を介して左内側板部に対して折り返されて左内側板部に接着された第２後左接着板部（Ｄ４４）とが設けられ、前右接着板部から連設されるとともに第２前右接着板部から連設された第１係合部で、前右接着板部から突出した前右第１突片部（８１ａ）と、第２前右接着板部から突出するとともに、前右第１突片部と折れ線を介して連設された前右第２突片部（８１ｂ）とを有する第１係合部（８１）と、後右接着板部から連設されるとともに第２後右接着板部から連設された第２係合部で、後右接着板部から突出した後右第１突片部（８２ａ）と、第２後右接着板部から突出するとともに、後右第１突片部と折れ線を介して連設された後右第２突片部（８２ｂ）とを有する第２係合部（８２）と、前左接着板部から連設されるとともに第２前左接着板部から連設された第３係合部で、前左接着板部から突出した前左第１突片部（８３ａ）と、第２前左接着板部から突出するとともに、前左第１突片部と折れ線を介して連設された前左第２突片部（８３ｂ）とを有する第３係合部（８３）と、後左接着板部から連設されるとともに第２後左接着板部から連設された第４係合部で、後左接着板部から突出した後左第１突片部（８４ａ）と、第２後左接着板部から突出するとともに、後左第１突片部と折れ線を介して連設された後左第２突片部（８４ｂ）とを有する第４係合部（８４）とが設けられ、陳列具を組み立てた状態において、第１係合部と第２係合部とが右係合部用開口部から上方に突出し、第３係合部と第４係合部とが左係合部用開口部から上方に突出し、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする。
【００１６】
第３の構成によれば、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合するので、２つの陳列具の積重ね状態を安定して維持することができる。
【００１７】
また、第１係合部〜第４係合部の各係合部が折れ線を介して２つの突片部が連設され、該折れ線を介して二つ折りの構成となっているので、係合部の強度を十分得ることができる。また、係合部は右係合部用開口部や左係合部用開口部から突出していて、係合部の基端部分は外側板部（つまり、右外側板部と左外側板部）と内側板部（つまり、右内側板部と左内側板部）によりカバーされた状態となっているので、係合部が容易に倒れることがなく、その点でも強度を十分得ることができ、また、係合用穴部との係合に支障が出ることがない。
【００１８】
また、第４には、上記第２又は第３の構成において、右内側板部の右縁板部側とは反対側の辺部から突出した右突状部（７５、７６）が設けられるとともに、左内側板部の左縁板部側とは反対側の辺部から突出した左突状部（７７、７８）が設けられ、陳列具を組み立てた状態では、右突状部が右係合用穴部に係止し、左突状部が左係合用穴部に係止することを特徴とする。よって、右係合部用開口部を利用して、右突状部を係止させることができ、左係合部用開口部を利用して、左突状部を係止させることができる。
【００１９】
また、第５には、１枚のシート状のブランクにより形成された陳列具であって、互いに平行な相対する２辺である右辺部及び左辺部と、右辺部及び左辺部と直角をなす互いに平行な他の相対する２辺である正面辺部と背面辺部とを有し、右辺部に沿って右係合用穴部（１５、１６）が設けられるとともに、左辺部に沿って左係合用穴部（１７、１８）が設けられた底板部（１０）と、底板部の右辺部から折れ線を介して連設された右側壁構成部で、底板部から折れ線を介して連設された右外側板部（Ｂ２２）と、右外側板部の底板部側とは反対側の辺部から折れ線を介して連設された帯状の右縁板部（Ｂ２４）と、右縁板部の右外側板部側とは反対側の辺部から折れ線を介して連設された右内側板部で、右縁板部側とは反対側の辺部から突出した右突状部（７５、７６）を有する右内側板部（Ｂ２６）とを有し、右外側板部の上端と右内側板部の上端の間における右縁板部が形成されていない間隙部又は右縁板部に形成された穴部から構成された右係合部用開口部（Ｂ５０、Ｂ５２）が形成された右側壁構成部（Ｂ２１）と、底板部の左辺部から折れ線を介して連設された左側壁構成部で、底板部から折れ線を介して連設された左外側板部（Ｄ２２）と、左外側板部の底板部側とは反対側の辺部から折れ線を介して連設された帯状の左縁板部（Ｄ２４）と、左縁板部の左外側板部側とは反対側の辺部から折れ線を介して連設された左内側板部で、左縁板部側とは反対側の辺部から突出した左突状部（７７、７８）を有する左内側板部（Ｄ２６）とを有し、左外側板部の上端と左内側板部の上端の間における左縁板部が形成されていない間隙部又は左縁板部に形成された穴部から構成された左係合部用開口部（Ｄ５０、Ｄ５２）が形成された左側壁構成部（Ｄ２１）と、底板部の正面辺部から折れ線を介して連設された正面板部（Ａ２２）と、底板部の背面辺部から折れ線を介して連設された背面板部（Ｄ２２）と、右外側板部の正面側の側辺から折れ線を介して連設されるとともに、正面板部の右側面側の側辺から折れ線を介して連設された前右折込み片部で、底板部の正面側で右側面側の角部から伸びた第１折込み用折れ線と右外側板部の側辺間に設けられた前右接着板部（Ｂ３１）と、該第１折込み用折れ線と正面板部間に設けられた前右連結板部（Ｂ３２）とを有し、前右接着板部が右外側板部との間の折れ線を介して右外側板部に対して折り返されて右外側板部の内側の面に接着された前右折込み片部（Ｂ３０）と、右外側板部の背面側の側辺から折れ線を介して連設されるとともに、背面板部の右側面側の側辺から折れ線を介して連設された後右折込み片部で、底板部の背面側で右側面側の角部から伸びた第２折込み用折れ線と右外側板部の側辺間に設けられた後右接着板部（Ｂ４１）と、該第２折込み用折れ線と背面板部間に設けられた後右連結板部（Ｂ４２）とを有し、後右接着板部が右外側板部との間の折れ線を介して右外側板部に対して折り返されて右外側板部の内側の面に接着された後右折込み片部（Ｂ４０）と、左外側板部の正面側の側辺から折れ線を介して連設されるとともに、正面板部の左側面側の側辺から折れ線を介して連設された前左折込み片部で、底板部の正面側で左側面側の角部から伸びた第３折込み用折れ線と左外側板部の側辺間に設けられた前左接着板部（Ｄ３１）と、該第３折込み用折れ線と正面板部間に設けられた前左連結板部（Ｄ３２）とを有し、後右接着板部が左外側板部との間の折れ線を介して左外側板部に対して折り返されて左外側板部の内側の面に接着された前左折込み片部（Ｄ３０）と、左外側板部の背面側の側辺から折れ線を介して連設されるとともに、背面板部の左側面側の側辺から折れ線を介して連設された後左折込み片部で、底板部の背面側で左側面側の角部から伸びた第４折込み用折れ線と左外側板部の側辺間に設けられた後左接着板部（Ｄ４１）と、該第４折込み用折れ線と背面板部間に設けられた後左連結板部（Ｄ４２）とを有し、後左接着板部が左外側板部との間の折れ線を介して左外側板部に対して折り返されて左外側板部の内側の面に接着された後左折込み片部（Ｄ４０）と、右内側板部の正面側の辺部から折れ線を介して連設された第２前右接着板部で、右内側板部との間の折れ線を介して右内側板部に対して折り返されて右内側板部に接着された第２前右接着板部（Ｂ３４）と、右内側板部の背面側の辺部から折れ線を介して連設された第２後右接着板部で、右内側板部との間の折れ線を介して右内側板部に対して折り返されて右内側板部に接着された第２後右接着板部（Ｂ４４）と、左内側板部の正面側の辺部から折れ線を介して連設された第２前左接着板部で、左内側板部との間の折れ線を介して左内側板部に対して折り返されて左内側板部に接着された第２前左接着板部（Ｄ３４）と、左内側板部の背面側の辺部から折れ線を介して連設された第２後左接着板部で、左内側板部との間の折れ線を介して左内側板部に対して折り返されて左内側板部に接着された第２後左接着板部（Ｄ４４）と、前右接着板部から連設されるとともに第２前右接着板部から連設された第１係合部で、前右接着板部から突出した前右第１突片部（８１ａ）と、第２前右接着板部から突出するとともに、前右第１突片部と折れ線を介して連設された前右第２突片部（８１ｂ）とを有する第１係合部（８１）と、後右接着板部から連設されるとともに第２後右接着板部から連設された第２係合部で、後右接着板部から突出した後右第１突片部（８２ａ）と、第２後右接着板部から突出するとともに、後右第１突片部と折れ線を介して連設された後右第２突片部（８２ｂ）とを有する第２係合部（８２）と、前左接着板部から連設されるとともに第２前左接着板部から連設された第３係合部で、前左接着板部から突出した前左第１突片部（８３ａ）と、第２前左接着板部から突出するとともに、前左第１突片部と折れ線を介して連設された前左第２突片部（８３ｂ）とを有する第３係合部（８３）と、後左接着板部から連設されるとともに第２後左接着板部から連設された第４係合部で、後左接着板部から突出した後左第１突片部（８４ａ）と、第２後左接着板部から突出するとともに、後左第１突片部と折れ線を介して連設された後左第２突片部（８４ｂ）とを有する第４係合部（８４）と、を有し、正面板部の底板部側の辺部と底板部側とは反対側の辺部間の長さである正面板部の上下方向の長さが、背面板部の底板部側の辺部と底板部側とは反対側の辺部間の長さである背面板部の上下方向の長さよりも短く形成され、右外側板部の底板部側の辺部と底板部側とは反対側の辺部間の長さである右外側板部の上下方向の長さと、左外側板部の底板部側の辺部と底板部側とは反対側の辺部間の長さである左外側板部の上下方向の長さが、背面板部の上下方向の長さ以上の長さに形成され、陳列具の折畳み状態では、右側壁構成部と左側壁構成部とが底板部に対して外側に倒れた状態であるとともに、正面板部と背面板部とが底板部に対して内側に倒れた状態であり、陳列具の折畳み状態から右外側板部と左外側板部を底板部に対して上方に回動させることにより、前右折込み片部が第１折込み用折れ線を介して二つ折りの状態となり、後右折込み片部が第２折込み用折れ線を介して二つ折りの状態となり、前左折込み片部が第３折込み用折れ線を介して二つ折りの状態となり、後左折込み片部が第４折込み用折れ線を介して二つ折りの状態となり、前右折込み片部と後右折込み片部と前左折込み片部と後左折込み片部とがそれぞれ二つ折りの状態となることにより正面板部と背面板部が底板部に対して立ち上がった状態となり、右内側板部を右縁板部を介して右外側板部の内側に位置させるとともに左内側板部を左縁板部を介して左外側板部の内側に位置させることにより、陳列具が組み立てられ、陳列具を組み立てた状態では、第１係合部と第２係合部とが右係合部用開口部から上方に突出し、第３係合部と第４係合部とが左係合部用開口部から上方に突出し、右突状部が右係合用穴部に係止し、左突状部が左係合用穴部に係止し、正面板部の上端の高さが背面板部の上端の高さよりも低く形成され、右側壁構成部の上端の高さと左側壁構成部の上端の高さとが、背面板部の上端の高さ以上の高さであり、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合することを特徴とする。
【００２０】
第５の構成においては、陳列具を組み立てた状態では、右側壁構成部の上端の高さと左側壁構成部の上端の高さとが、背面板部の上端の高さ以上の高さであるので、陳列具を積み重ねることができ、正面板部の上端の高さが背面板部の上端の高さよりも低く形成されるので、陳列具を積み重ねた状態で、下側の陳列具における正面板部よりも上側が正面側に開口し、陳列具を積み重ねた状態でも、陳列具内に陳列された被陳列物を陳列具の正面側から取り出すことができる。
【００２１】
また、底板部１枚の板部により形成されているので、重量の大きい被陳列物を陳列した状態で陳列具を持ち上げても底が抜けることがない。
【００２２】
また、２つの陳列具を積み重ねた状態では、下側の陳列具における第１係合部と第２係合部とが上側の陳列具における右係合用穴部に係合し、下側の陳列具における第３係合部と第４係合部とが上側の陳列具における左係合用穴部に係合するので、２つの陳列具の積重ね状態を安定して維持することができる。
【００２３】
また、第１係合部〜第４係合部の各係合部が折れ線を介して２つの突片部が連設され、該折れ線を介して二つ折りの構成となっているので、係合部の強度を十分得ることができる。また、係合部は右係合部用開口部や左係合部用開口部から突出していて、係合部の基端部分は外側板部（つまり、右外側板部と左外側板部）と内側板部（つまり、右内側板部と左内側板部）によりカバーされた状態となっているので、係合部が容易に倒れることがなく、その点でも強度を十分得ることができ、また、係合用穴部との係合に支障が出ることがない。
【００２４】
なお、上記第５の構成において、２つの陳列具を積み重ねた状態では、下側の陳列具における正面板部よりも上側が正面側に開口しているものとしてもよい。
【００２５】
また、第６には、上記第１から第５までのいずれかの構成において、正面板部の底板部側とは反対側の辺部から折れ線を介して連設された帯状の前縁板部（Ａ２４）と、前縁板部の正面板部側とは反対側の辺部から折れ線を介して連設された第２正面板部（Ａ２６）とが設けられ、陳列具を組み立てた状態において、第２正面板部が正面板部の内側に位置することを特徴とする。
【００２６】
また、第７には、上記第６の構成において、第２正面板部の第２縁板部側とは反対側の辺部から突出した前突状部（７１、７２）が設けられるとともに、底板部の正面辺部に沿って前突状部が係止するための係止用穴部（１１、１２）が設けられていることを特徴とする。
【００２７】
また、第８には、上記第１から第７までのいずれかの構成において、陳列具を組み立てた状態において背面板部の正面側に位置する第２背面板部（Ｃ２６）が設けられ、第２背面板部を背面板部の正面側の位置に固定するための固定手段（Ｃ２７、Ｃ２８、Ｃ２９）が設けられていることを特徴とする。
【００２８】
なお、上記第８の構成において、第２背面板部が背面板部の底板部側とは反対側の辺部から折れ線を介して連設されているものとしてもよく、また、背面板部の底板部側とは反対側の辺部から折れ線を介して帯状の後縁板部が連設され、第２背面板部が、後縁板部の背面板部側とは反対側の辺部から折れ線を介して連設されているものとしてもよい。
【００２９】
また、第９には、上記第８の構成において、固定手段が、第２背面板部の底板部側とは反対側の辺部である先端辺部から折れ線を介して連設された底フラップ（Ｃ２７）と、第２背面板部の右側面側の辺部から折れ線を介して連設された右横フラップで、第２背面板部の右側面側の辺部に対して傾斜する傾斜辺部で、第２背面板部の先端辺部側に行くほど第２背面板部の右側面側の辺部からの距離が長くなるように傾斜した傾斜辺部（Ｃ２８ｃ）を有する右横フラップ（Ｃ２８）と、第２背面板部の左側面側の辺部から折れ線を介して連設された左横フラップで、第２背面板部の左側面側の辺部に対して傾斜する傾斜辺部傾斜辺部で、第２背面板部の先端辺部側に行くほど第２背面板部の左側面側の辺部からの距離が長くなるように傾斜した（Ｃ２９ｃ）を有する左横フラップ（Ｃ２９）とを有し、陳列具を組み立てた状態においては、底フラップと右フラップと左フラップとが第２背面板部に対して背面側に折曲され、底フラップは、底板部の上面に沿った状態で底板部に接し、右横フラップは、右内側板部に沿った状態で右内側板部に接し、左横フラップは、左内側板部に沿った状態で左内側板部に接し、右横フラップの傾斜辺部は、背面板部の正面側の面に接し、左横フラップの傾斜辺部は、背面板部の正面側の面に接し、第２背面板部は、上方にいくほど背面側となるように傾斜した状態となることを特徴とする。
【００３０】
また、第１０には、上記第８の構成において、固定手段が、第２背面板部の底板部側とは反対側の辺部である先端辺部から突出した背面突状部と、底板部の背面側の辺部に沿って形成され、背面突状部が係止するための係止用穴部とを有することを特徴とする。
【考案の効果】
【００３１】
本考案に基づく陳列具によれば、陳列具を組み立てた状態では、右側壁構成部の上端の高さと左側壁構成部の上端の高さとが、背面板部の上端の高さ以上の高さであるので、陳列具を積み重ねることができ、正面板部の上端の高さが背面板部の上端の高さよりも低く形成されるので、陳列具を積み重ねた状態でも、陳列具内に陳列された被陳列物を陳列具の正面側から取り出すことができる。
【００３２】
また、底板部１枚の板部により形成されているので、重量の大きい被陳列物を陳列した状態で陳列具を持ち上げても底が抜けることがない。
【図面の簡単な説明】
【００３３】
【図１】陳列具を組み立てた状態の上方前方斜視図である。
【図２】陳列具を組み立てた状態の上方後方斜視図である。
【図３】陳列具を組み立てた状態の下方前方斜視図である。
【図４】陳列具を組み立てた状態の要部正面図である。
【図５】陳列具の折畳み状態を示す平面図である。
【図６】陳列具の展開図である。
【図７】図５の要部拡大図である。
【図８】図５の要部拡大図である。
【図９】陳列具の組立て工程を示す斜視図である。
【図１０】陳列具の組立て工程を示す斜視図である。
【図１１】陳列具の組立て工程を示す斜視図である。
【図１２】陳列具の組立て工程を示す斜視図である。
【図１３】陳列具を積み重ねた状態を示す斜視図である。
【考案を実施するための形態】
【００３４】
本考案においては、底面部の四辺から立設した正面部と左側面部と右側面部と背面部とを有し、正面部が背面部よりも低く形成された商品陳列具において、扁平状に折りたたみ可能であるとともに、底面部の強度を大きくして、重量の大きい被陳列物を陳列した状態で商品陳列具を持ち上げても底が抜けることがない商品陳列具を提供するという目的を以下のようにして実現した。
【００３５】
本考案に基づく陳列具（「陳列箱」、「箱体」としてもよい。他においても同じ）５は、図１〜図７に示すように構成され、底板部１０と、正面部Ａ２０と、右側面部Ｂ２０と、背面部Ｃ２０と、左側面部Ｄ２０とを有している。このように、底板部１０と正面部Ａ２０と右側面部Ｂ２０と背面部Ｃ２０と左側面部Ｄ２０によって、陳列具５は、上部が開口した箱状に形成され、内部に収納空間を有した構成となっている。なお、図６〜図８において、Ｙ１−Ｙ２方向は、Ｘ１−Ｘ２方向に直角な方向である。
【００３６】
正面部Ａ２０の上端の高さは、右側面部Ｂ２０と背面部Ｃ２０と左側面部Ｄ２０の上端の高さよりも低く形成され、右側面部Ｂ２０の上端の高さと背面部Ｃ２０の上端の高さと左側面部Ｄ２０の上端の高さは略同一に形成されている。
【００３７】
陳列具５の詳細について、展開状態を示す図６を使用して説明する。なお、図１に示す陳列具５を組み立てる前の状態は、図５に示すように構成され、外側板部Ｂ２２と接着板部Ｂ３１、Ｂ４１が接着され、外側板部Ｄ２２と接着板部Ｄ３１、Ｄ４１が接着されるとともに、内側板部Ｂ２６と接着板部Ｂ３４、Ｂ４４が接着され、内側板部Ｄ２６と接着板部Ｄ３４、Ｄ４４が接着されているが、それらの接着をする前の状態で、陳列具５を展開した状態が図６に示すようになる。
【００３８】
陳列具５は、図６に示すように、全体に１枚のシート状のブランク（具体的には、段ボール製（例えば、薄型段ボール製）のブランクであり、厚紙製のブランク等の他の紙製のブランクでもよい）により形成されている。つまり、陳列具５は、段ボール材（特に、両面段ボール材）等の紙製の商品陳列具である。段ボールにおける断面略波形形状の中芯の段の方向は、図６における円内に示す方向となっていて、底板部１０と外側板部Ａ２２間の折れ線や底板部１０と外側板部Ｃ２２間の折れ線と平行となっている（なお、段ボールにおける中芯の段の方向はこれには限られない）。
【００３９】
まず、底板部１０は、陳列具の底面を構成し、略方形状（具体的には、略長方形状）の板状に形成され、方形状（具体的には、長方形状）における周囲に穴部（係止用穴部）１１、１２と、穴部（係合用穴部）１５、１６、１７、１８を形成した形状を呈している。
【００４０】
なお、穴部１１、１２は、底板部１０と外側板部Ａ２２間の辺部に沿って形成され、該辺部に沿った細長の長方形状に形成されている。穴部１１と穴部１２とは間隔を介して形成されている。また、穴部（右係合用穴部）１５、１６は、底板部１０と外側板部Ｂ２２間の辺部に沿って形成され、該辺部に沿った細長の長方形状に形成されている。穴部１５と穴部１６とは間隔を介して形成されている。また、穴部（左係合用穴部）１７、１８は、底板部１０と外側板部Ｄ２２間の辺部に沿って形成され、該辺部に沿った細長の長方形状に形成されている。穴部１７と穴部１８とは間隔を介して形成されている。
【００４１】
また、底板部１０のＹ１側の辺部からは折れ線を介して外側板部（正面板部）Ａ２２が連設されている。この外側板部Ａ２２は、略長方形状を呈し、横方向の長さは、底板部１０から離れるに従い短くなる台形形状に形成されている。つまり、外側板部Ａ２２の底板部１０側の辺部は、縁板部Ａ２４側の辺部よりも長く形成されている。また、外側板部Ａ２２の上下方向の長さ（底板部１０側の辺部と縁板部Ａ２４側の辺部間の長さ）は、外側板部Ｂ２２の上下方向の長さ（底板部１０側の辺部と縁板部Ｂ２４側の辺部間の長さ）や、外側板部Ｃ２２の上下方向の長さ（底板部１０側の辺部と底板部１０側と反対側の辺部間の長さ）や、外側板部Ｄ２２の上下方向の長さ（底板部１０側の辺部と縁板部Ｄ２４側の辺部間の長さ）よりも短く形成されている。
【００４２】
また、外側板部Ａ２２の底板部１０とは反対側の辺部からは縁板部（前縁板部）Ａ２４が折れ線を介して連設され、縁板部Ａ２４は、帯状を呈し、陳列具５の組立て状態では、正面部Ａ２０の上端部分を構成する。縁板部Ａ２４の横方向の長さは、外側板部Ａ２２の横方向の長さよりも若干短く形成されている。
【００４３】
また、縁板部Ａ２４の外側板部Ａ２２側とは反対側の辺部からは内側板部（第２正面板部）Ａ２６が折れ線を介して連設されている。この内側板部Ａ２６は、略方形状（具体的には、略長方形状）を呈し、具体的には、方形状（具体的には、長方形状）に一対の突状部（前突状部）７１、７２を形成した形状を呈している。突状部７１、７２は、縁板部Ａ２４側と反対側の辺部Ａ２６ａから突出して形成され、細長の長方形状を呈している。この内側板部Ａ２６の横方向の長さは、縁板部Ａ２４の横方向の長さと同一となっている。なお、外側板部Ａ２２の陳列具５の組立て状態における上下方向の長さ（底板部１０との間の折れ線と縁板部Ａ２４との間の折れ線間の長さ）と内側板部Ａ２６の上下方向の長さ（縁板部Ａ２４との間の折れ線と辺部Ａ２６ａ間の長さ）とは略同一であるが、外側板部Ａ２２の陳列具５の組立て状態における上下方向の長さの方が若干長く形成されている。
【００４４】
なお、外側板部Ａ２２と、縁板部Ａ２４と、内側板部Ａ２６とで正面部Ａ２０が構成されるが、正面部Ａ２０を構成するこれらの部材は、陳列具５の展開状態において、線対称（左右線対称、Ｙ１−Ｙ２方向の中心線を介して線対称）に形成されている。
【００４５】
次に、底板部１０のＸ２側の辺部からは折れ線を介して外側板部（右外側板部）Ｂ２２が連設されている。この外側板部Ｂ２２は、略方形状（具体的には、略長方形状）を呈し、方形状（具体的には、長方形状）に穴部１５、１６の位置に突出した突状部８５、８６を有した形状を呈している。突状部８５、８６は、細長の長方形状を呈している。突状部８５における両側の辺部は、陳列具５の展開状態（図６の状態）において、穴部１５の辺部を延長した切込みにより形成され、突状部８６における両側の辺部は、陳列具５の展開状態において、穴部１６の辺部を延長した切込みにより形成されている。外側板部Ｂ２２の両側の側辺は、底板部１０との間の折れ線に対して直角をなしている。
【００４６】
また、外側板部Ｂ２２の底板部１０とは反対側の辺部Ｆ２４からは縁板部（右縁板部）Ｂ２４が折れ線を介して連設され、縁板部Ｂ２４は、帯状を呈し、陳列具５の組立て状態では、右側面部Ｂ２０の上端部分を構成する。なお、縁板部Ｂ２４は、一対の細長長方形状の間隙部（右係合部用開口部）Ｂ５０、Ｂ５２が設けられているので、３つの領域に分割して形成されている。間隙部Ｂ５０、Ｂ５２は、縁板部Ｂ２４の位置に設けられた間隙で、外側板部Ｂ２２の上端と内側板部Ｂ２６の上端の間における縁板部Ｂ２４が形成されていない領域である。
【００４７】
間隙部Ｂ５０は、穴部１５に対応した位置に設けられ、間隙部Ｂ５０の形成位置は、Ｙ１−Ｙ２方向に穴部１５と一致していて、間隙部Ｂ５０のＹ１側の辺部は、Ｙ１−Ｙ２方向に穴部１５のＹ１側の辺部と一致し、間隙部Ｂ５０のＹ２側の辺部は、Ｙ１−Ｙ２方向に穴部１５のＹ２側の辺部と一致する。同様に、間隙部Ｂ５２は、穴部１６に対応した位置に設けられ、間隙部Ｂ５２の形成位置は、Ｙ１−Ｙ２方向に穴部１６と一致していて、間隙部Ｂ５２のＹ１側の辺部は、Ｙ１−Ｙ２方向に穴部１６のＹ１側の辺部と一致し、間隙部Ｂ５２のＹ２側の辺部は、Ｙ１−Ｙ２方向に穴部１６のＹ２側の辺部と一致している。これにより、陳列具５を積み重ねた場合に、間隙部Ｂ５０から突出した係合部（第１係合部）８１が上側の陳列具５の穴部１５に係合し、間隙部Ｂ５２から突出した係合部８２が上側の陳列具５の穴部１６に係合する。
【００４８】
また、縁板部Ｂ２４の外側板部Ｂ２２側とは反対側の辺部Ｆ２６からは内側板部（右内側板部）Ｂ２６が折れ線を介して連設されている。内側板部Ｂ２６は、方形状（具体的には、長方形状）に突状部（右突状部）７５、７６と、凹部９０を形成した形状を呈している。突状部７５、７６は、縁板部Ｂ２４側と反対側の辺部Ｂ２６ａに形成され、細長の長方形状を呈している。突状部７５は、穴部１５に対応した位置に設けられ（つまり、Ｙ１−Ｙ２方向に穴部１５に対応した位置に設けられ）、突状部７６は、穴部１６に対応した位置に設けられ（つまり、Ｙ１−Ｙ２方向に穴部１６に対応した位置に設けられ）、陳列具５を組み立てた際に、突状部７５が穴部１５に係止し、突状部７６が穴部１６に係止する。
【００４９】
また、凹部９０は、縁板部Ｂ２４側と反対側の辺部に形成され、突状部７５と突状部７６の間の位置に形成されている。この凹部９０は、突状部７５、７６が穴部１５、１６に係止している状態から該係止を解除する際に、凹部９０に指を掛けて引っぱるのに使用する。
【００５０】
なお、陳列具５の展開状態において、外側板部Ｂ２２のＹ１側の側辺と縁板部Ｂ２４のＹ１側の辺部と内側板部Ｂ２６のＹ１側の側辺とは１つの直線をなし、外側板部Ｂ２２のＹ２側の側辺と縁板部Ｂ２４のＹ２側の辺部と内側板部Ｂ２６のＹ２側の側辺とは１つの直線をなす。
【００５１】
また、外側板部Ｃ２２の陳列具５の組立て状態における上下方向の長さ（底板部１０との間の折れ線と縁板部Ｂ２４との間の折れ線間の長さ）と内側板部Ｂ２６の上下方向の長さ（縁板部Ａ２４との間の折れ線と辺部Ｂ２６ａ間の長さ）とは略同一であるが、外側板部Ｂ２２の陳列具５の組立て状態における上下方向の長さの方が若干長く形成されている。
【００５２】
なお、外側板部Ｂ２２と縁板部Ｂ２４と内側板部Ｂ２６とで、側壁構成部（右側壁構成部）Ｂ２１が構成される。
【００５３】
また、外側板部Ａ２２の側辺と外側板部Ｂ２２の側辺の間には、折込み片部（前右折込み片部）Ｂ３０が連設されている。折込み片部Ｂ３０は、接着板部Ｂ３１と、連結板部Ｂ３２とから構成されている。
【００５４】
接着板部（前右接着板部）Ｂ３１は、外側板部Ｂ２２のＹ１側の辺部（正面部Ａ２０側の辺部）から折れ線を介して連設されている。この接着板部Ｂ３１は略台形形状を呈し、外側板部Ｂ２２との境界をなす直線状の辺部Ｂ３１ａと、該辺部Ｂ３１ａに対して４５度の角度に形成された直線状の辺部Ｂ３１ｂと、辺部ｂ３０ａに対して直角をなす直線状の辺部Ｂ３１ｃと、辺部Ｂ３１ｂと辺部Ｂ３１ｃ間に形成され、辺部Ｂ３１ａと略平行な辺部Ｂ３１ｄとに囲まれた構成となっている。なお、辺部Ｂ３１ａは、外側板部Ｂ２２の側辺（接着板部Ｂ３１が連設された辺部）よりも短く形成され、辺部Ｂ３１ｃは、接着板部Ｂ３１が外側板部Ｂ２２に接着した状態で、外側板部Ｂ２２と縁板部Ｂ２４間の境界（つまり、辺部Ｆ２４）よりも底板部１０側に形成されている。この接着板部Ｂ３１は、図５に示すように、外側板部Ｂ２２に対して折り返されて、外側板部Ｂ２２に接着される。
【００５５】
また、連結板部（前右連結板部）Ｂ３２は、接着板部Ｂ３１と外側板部Ａ２２間に設けられている。つまり、連結板部Ｂ３２は、接着板部Ｂ３１の辺部Ｂ３１ｂから折れ線（第１折込み用折れ線）を介して連設されるとともに、外側板部Ａ２２の側辺から折れ線を介して連設され、三角形状を呈している。
【００５６】
また、内側板部Ｂ２６のＹ１側の辺部（正面部Ａ２０側の辺部）からは接着板部（第２前右接着板部）Ｂ３４が折れ線を介して連設されている。この接着板部Ｂ３４は、長方形状（辺部Ｂ３４ａと辺部Ｂ３４ｂと辺部Ｂ３４ｃ及びその延長線と辺部Ｂ３４ｄ及びその延長線により囲まれた長方形状）に切欠部Ｂ３４−ｋａと切欠部Ｂ３４−ｋｂを形成した形状を呈している。すなわち、切欠部Ｂ３４−ｋａは、細長長方形状を呈し、接着板部Ｂ３４を内側板部Ｂ２６に接着した状態で、接着板部Ｂ３４の端部が突状部７５の基端と間隔を形成して突状部７５の穴部１５への差込みに支障がないようにしている。また、切欠部Ｂ３４−ｋｂは、略円弧状を呈し、接着板部Ｂ３４を内側板部Ｂ２６に接着した状態で、凹部９０の輪郭に合わせて形成されている。なお、接着板部Ｂ３４における内側板部Ｂ２６との境界をなす辺部Ｂ３４ａは、内側板部Ｂ２６の側辺（接着板部Ｂ３４が連設された辺部）よりも短く形成され、辺部Ｂ３４ｂは、接着板部Ｂ３４が内側板部Ｂ２６に接着した状態で、内側板部Ｂ２６と縁板部Ｂ２４間の境界（つまり、辺部Ｆ２６）よりも内側板部Ｂ２６の先端側（縁板部Ｂ２４とは反対側）に形成されている。この接着板部Ｂ３４は、図５に示すように、内側板部Ｂ２６に対して折り返されて、内側板部Ｂ２６に接着される。
【００５７】
また、接着板部Ｂ３１の陳列具５の展開状態における接着板部Ｂ３４側には突片部（前右第１突片部）８１ａが突出して形成されている。つまり、突片部８１ａは、接着板部Ｂ３１の辺部Ｂ３１ｄから突出して形成されている。接着板部Ｂ３１と突片部８１ａの境界は、図６における一点鎖線に示す位置となる。この突片部８１ａは、略細長長方形状を呈し、辺部Ｂ３１ｃと、辺部Ｂ３１ｃから直角をなす一対の辺部と、該一対の辺部に対して直角をなす辺部（辺部Ｂ３１ｃと同一方向の辺部）と辺部Ｂ３１ｄの延長線をなす辺部とにより囲まれた構成となっている。
【００５８】
また、接着板部Ｂ３４の陳列具５の展開状態における接着板部Ｂ３１側には、突片部（前右第２突片部）８１ｂが突出して形成されている。つまり、突片部８１ｂは、接着板部Ｂ３４の辺部Ｂ３４ｂから突出して形成されている。接着板部Ｂ３４と突片部８１ｂの境界は、図６における一点鎖線に示す位置となる。この突片部８１ｂは、細長長方形状を呈し、辺部Ｂ３４ｂと、辺部Ｂ３４ｂに対して直角をなす一対の辺部と突片部８１ａとの境界をなす辺部とにより囲まれた構成となっている。つまり、突片部８１ａと突片部８１ｂとは折れ線Ｊ８１を介して連設されている。
【００５９】
なお、突片部８１ａの高さ（辺部Ｂ３１ｃから折れ線Ｊ８１までの長さ）と突片部８１ｂの高さ（辺部Ｂ３４ｂから折れ線Ｊ８１までの長さ）は同一に形成されている。また、突片部８１ａ、８１ｂの折れ線Ｊ８１に沿った長さは、間隙部Ｂ５０から突出可能となるように、間隙部Ｂ５０の長さ（縁板部Ｂ２４の方向（辺部Ｆ２４、Ｆ２６の方向）の長さ）よりも短く形成されている。
【００６０】
また、突片部８１ａと突片部８１ｂは折れ線Ｊ８１を介して連設されているので、陳列具５を展開した状態では、穴部Ｂ６０が形成され、辺部Ｂ３１ｃと辺部Ｂ３４ｂとは上記のように形成されているので、辺部Ｂ３１ｃと辺部Ｂ３４ｂ間の間隔は縁板部Ｂ２４の幅方向の長さよりも長く形成されている。
【００６１】
陳列具５の組立て状態において、間隙部Ｂ５０から上方に突出する係合部８１は、突片部８１ａと突片部８１ｂとにより構成され、係合部８１においては、突片部８１ａと突片部８１ｂとを折れ線Ｊ８１を介して折り返して重なった状態となっている（つまり、係合部８１は、折れ線Ｊ８１を介して二つ折りの状態となっている）。
【００６２】
また、図５に示す状態では、突片部８１ａと突片部８１ｂは間隙部Ｂ５０の位置に配置され、折れ線Ｊ８１は、間隙部Ｂ５０の内側の辺部（辺部Ｆ２４に沿った辺部）と間隙部Ｂ５０の外側の辺部（辺部Ｆ２６に沿った辺部）間の中心位置（辺部Ｆ２４に沿った辺部と辺部Ｆ２６に沿った辺部と等距離の位置）に設けられている。
【００６３】
また、外側板部Ｃ２２の側辺と外側板部Ｂ２２の側辺の間には、折込み片部（後右折込み片部）Ｂ４０が連設されている。折込み片部Ｂ４０は、接着板部（後右接着板部）Ｂ４１と、連結板部（後右連結板部）Ｂ４２とから構成されている。
【００６４】
接着板部Ｂ４１は、外側板部Ｂ２２のＹ２側の辺部（背面部Ｃ２０側の辺部）から折れ線を介して連設され、連結板部Ｂ４２は、接着板部Ｂ４１と外側板部Ｃ２２間に連設され（すなわち、接着板部Ｂ４１からは辺部Ｂ４１ｂから折れ線（第２折込み用折れ線）を介して連設されている）、内側板部Ｂ２６のＹ２側の辺部（背面部Ｃ２０側の辺部）からは接着板部（第２後右接着板部）Ｂ４４が折れ線を介して連設されている。
【００６５】
陳列具５の展開状態（図６の状態）において、折込み片部Ｂ４０は、連結板部Ｂ４２を除き、折込み片部Ｂ３０と線対称（前後線対称）に形成され、接着板部Ｂ４１は接着板部Ｂ３１と線対称（前後線対称）である以外には同一の構成であり、接着板部Ｂ４４は接着板部Ｂ３４と線対称（前後線対称）である以外には同一の構成であるので、詳しい説明を省略する。
【００６６】
また、連結板部Ｂ４２は、連結板部Ｂ３２とは異なる形状・大きさであり、連結板部Ｂ４２は、接着板部Ｂ４１の辺部Ｂ４１ｂ（外側板部Ｂ２２の側辺に対して４５度をなす直線状の辺部）から折れ線を介して連設されるとともに、外側板部Ｃ２２の側辺から折れ線を介して連設されていて、外側板部Ｃ２２との間の折れ線（すなわち、外側板部Ｃ２２の側辺と一致する折れ線）に沿った直線状の辺部Ｂ４２ａと、接着板部Ｂ４１との間の折れ線（辺部Ｂ４１ｂに沿った折れ線）に沿った直線状の辺部Ｂ４２ｂと、辺部Ｂ４２ａの上端から辺部Ｂ４２ａに対して４５度の角度に形成された直線状の辺部Ｂ４２ｃと、辺部Ｂ４２ｂの底板部１０の角部側とは反対側の端部と辺部Ｂ４２ｃの辺部Ｂ４２ａの上端側とは反対側の端部間に形成され、外側板部Ｂ２２の側辺と平行な辺部Ｂ４２ｄとで囲まれた形状を呈し、連結板部Ｂ３２よりも大きく形成されている。
【００６７】
なお、陳列具５において、辺部Ｂ４２ｄと、接着板部Ｂ４１の外側板部Ｂ２２の側辺と平行な辺部と、接着板部Ｂ４４の内側板部Ｂ２６の側辺と平行な辺部とは、一直線上に形成されている。
【００６８】
なお、接着板部Ｂ４１は、図５に示すように、外側板部Ｂ２２に対して折り返されて、外側板部Ｂ２２に接着され、接着板部Ｂ４４は、図５に示すように、内側板部Ｂ２６に対して折り返されて、内側板部Ｂ２６に接着される。
【００６９】
また、接着板部Ｂ４１の陳列具５の展開状態における接着板部Ｂ４４側には突片部（後右第１突片部）８２ａが突出して形成され、接着板部Ｂ４４の陳列具５の展開状態における接着板部Ｂ４１側には、突片部（後右第２突片部）８２ｂが突出して形成されている。接着板部Ｂ４１と突片部８２ａの境界と、接着板部Ｂ４４と突片部８２ｂの境界は、図７における一点鎖線に示す位置となる。陳列具５の展開状態（図６の状態）において、突片部８２ａは突片部８１ａと線対称（前後線対称）である以外は同一の構成であり、突片部８２ｂは突片部８１ｂと線対称（前後線対称）である以外は同一の構成であるので、詳しい説明を省略する。なお、突片部８２ａと突片部８２ｂとは折れ線Ｊ８２を介して連設されている。
【００７０】
陳列具５の組立て状態において、間隙部Ｂ５２から上方に突出する係合部（第２係合部）８２は、突片部８２ａと突片部８２ｂとにより構成され、係合部８２においては、突片部８２ａと突片部８２ｂとを折れ線Ｊ８２を介して折り返して重なった状態となっている（つまり、係合部８２は、折れ線Ｊ８２を介して二つ折りの状態となっている）。
【００７１】
また、図５に示す状態では、突片部８２ａと突片部８２ｂは間隙部Ｂ５２の位置に配置され、折れ線Ｊ８２は、間隙部Ｂ５２の内側の辺部（辺部Ｆ２４に沿った辺部）と間隙部Ｂ５２の外側の辺部（辺部Ｆ２６に沿った辺部）間の中心位置（辺部Ｆ２４に沿った辺部と辺部Ｆ２６に沿った辺部と等距離の位置）に設けられている。
【００７２】
なお、外側板部Ｂ２２と、縁板部Ｂ２４と、内側板部Ｂ２６と、接着板部Ｂ３１、Ｂ４１と、連結板部Ｂ３２、Ｂ４２と、接着板部Ｂ３４、Ｂ４４とで右側面部Ｂ２０が構成されるが、右側面部Ｂ２０を構成するこれらの部材は、陳列具５の展開状態において、線対称（前後線対称、Ｘ１−Ｘ２方向の中心線を介して線対称）に形成されている。
【００７３】
なお、図５に示すように、接着板部Ｂ３１、Ｂ４１が外側板部Ｂ２２に接着した状態において、平面視において、接着板部Ｂ３１、Ｂ４１が外側板部Ｂ２２の領域から外側にはみ出ることがなく、また、接着板部Ｂ３４、Ｂ４４が内側板部Ｂ２６に接着した状態において、平面視において、接着板部Ｂ３４、Ｂ４４が内側板部Ｂ２６の領域から外側にはみ出ることがない。
【００７４】
また、底板部１０のＹ２側の辺部からは折れ線を介して外側板部（背面板部）Ｃ２２が連設されている。この外側板部Ｃ２２は、長方形状を呈し、横方向の長さは、外側板部Ａ２２の横方向の長さと同一であり、また、縦方向の長さ（底板部１０側の辺部と内側板部Ｃ２６側の辺部間の長さ）は、外側板部Ａ２２の縦方向の長さ（底板部１０側の辺部と縁板部Ａ２４側の辺部間の長さ）よりも長く形成され、外側板部Ｃ２２の縦方向の長さは、外側板部Ａ２２の縦方向の長さの略４倍に形成されている。
【００７５】
また、外側板部Ｃ２２の底板部１０側とは反対側の辺部からは、内側板部（第２背面板部）Ｃ２６が折れ線を介して連設されている。この内側板部Ｃ２６は、長方形状を呈し、横方向の長さは、外側板部Ｃ２２の横方向の長さよりも若干短く形成され、内側板部Ａ２６の横方向の長さと同一に形成され、縦方向の長さは、陳列具５の組立て状態において、内側板部Ｃ２６が傾斜して設けられるため、外側板部Ｃ２２の縦方向の長さよりも若干長く形成されている。なお、陳列具５の組立て状態における内側板部Ｃ２６の底板部１０に対する傾斜角度によっては、内側板部Ｃ２６の縦方向の長さは、外側板部Ｃ２２の縦方向の長さと同一又は外側板部Ｃ２２の縦方向の長さよりも短く形成してもよい。
【００７６】
また、内側板部Ｃ２６の外側板部Ｃ２２側とは反対側の辺部（先端辺部）からは底フラップＣ２７が折れ線を介して連設されている。この底フラップＣ２７は、先端にいくに従い横方向の長さが短くなる台形形状を呈している。この底フラップＣ２７は、陳列具５の組立て状態においては、内側板部Ｃ２６の背面側に折り曲げられて、底板部１０の上面に底板部１０と平行に接し、底フラップＣ２７の先端側の辺部Ｃ２７ａは、外側板部Ｃ２２の正面側の面に当接する。
【００７７】
また、内側板部Ｃ２６の右側面側の辺部からは折れ線を介して横フラップ（右横フラップ）Ｃ２８が連設されている。横フラップＣ２８は、略台形形状を呈し、内側板部Ｃ２６との間の折れ線に沿った直線状の辺部Ｃ２８ａと、辺部Ｃ２８ａの底フラップＣ２７側の端部から連設され、辺部Ｃ２８ａに対して鋭角をなす直線状の辺部Ｃ２８ｂと、辺部Ｃ２８ｂの辺部Ｃ２８ａ側とは反対側の端部から連設され、辺部Ｃ２８ｂと略直角をなす直線状の辺部（傾斜辺部）Ｃ２８ｃと、辺部Ｃ２８ｃの辺部Ｃ２８ｂ側とは反対側の端部から連設され、辺部Ｃ２８ａに対して直角をなす辺部Ｃ２８ｄとにより囲まれた形状を呈している。なお、辺部Ｃ２８ａは、内側板部Ｃ２６の右側面側の辺部における底フラップＣ２７側の端部から外側板部Ｃ２２側の端部の手前位置まで形成されている。また、辺部Ｃ２８ｃは、辺部Ｃ２８ａに対して傾斜して形成され、内側板部Ｃ２６の先端側（底フラップＣ２７側（つまり、先端辺部側））にいくほど辺部Ｃ２８ａと辺部Ｃ２８ｃ間の距離（長さ）が長くなるように形成されている。陳列具５の組立て状態においては、横フラップＣ２８は、内側板部Ｃ２６に対して背面側に折曲されて内側板部Ｂ２６の内側の面に内側板部Ｂ２６の平行に重なった状態となり、辺部Ｃ２８ｃは、外側板部Ｃ２２の正面側の面に当接する。
【００７８】
また、内側板部Ｃ２６の左側面側の辺部からは折れ線を介して横フラップ（左横フラップ）Ｃ２９が連設されている。横フラップＣ２９の構成は、陳列具５の展開状態において、横フラップＣ２８と線対称（左右線対称）に形成されている以外は同一の構成であるので、詳しい説明を省略する。陳列具５の組立て状態においては、横フラップＣ２９は、内側板部Ｃ２６に対して背面側に折曲されて内側板部Ｄ２６の内側の面に内側板部Ｄ２６の平行に重なった状態となり、辺部（傾斜辺部）Ｃ２９ｃは、外側板部Ｃ２２の正面側の面に当接する。
【００７９】
上記底フラップＣ２７と横フラップＣ２８、Ｃ２９は、内側板部Ｃ２６を外側板部Ｃ２２の正面側の位置に固定するための固定手段として機能する。
【００８０】
なお、上記の説明では、外側板部Ｃ２２から折れ線を介して内側板部Ｃ２６が連設されているとしたが、外側板部Ｃ２２と内側板部Ｃ２６の間に帯状の縁板部（縁板部Ａ２４と同様の構成の縁板部）が設けられた構成としてもよい。その際、内側板部Ｃ２６の縁板部とは反対側の辺部には、突状部（背面突状部）（突状部７１、７２と同様の構成の突状部）を設け、底板部１０の背面側の辺部に沿って穴部（係止用穴部）（穴部１１、１２と同様の構成の穴部）を設けて、突状部を穴部に係止することにより、内側板部Ｃ２６を固定するようにしてもよい。その場合、該突状部と該穴部とが、内側板部Ｃ２６を外側板部Ｃ２２の正面側の位置に固定するための固定手段として機能する。
【００８１】
また、底板部１０のＸ１側の辺部からは折れ線を介して外側板部（左外側板部）Ｄ２２が連設され、外側板部Ｄ２２の底板部１０とは反対側の辺部Ｈ２４からは縁板部（左縁板部）Ｄ２４が折れ線を介して連設され、縁板部Ｄ２４の外側板部Ｄ２２側とは反対側の辺部Ｈ２６からは内側板部（左内側板部）Ｄ２６が折れ線を介して連設されている。陳列具５の展開状態において、外側板部Ｄ２２は外側板部Ｂ２２と線対称（左右線対称、Ｙ１−Ｙ２方向の中心線を介して線対称）である以外は同一の構成であり、縁板部Ｄ２４は縁板部Ｂ２４と線対称（左右線対称）である以外は同一の構成であり、内側板部Ｄ２６は内側板部Ｂ２６と線対称（左右線対称）である以外は同一の構成であるので、詳しい説明を省略する。
【００８２】
なお、外側板部Ｄ２２は、穴部１７、１８の位置に突出した突状部８７、８８を有している。また、３つの領域に分割された各縁板部Ｄ２４間には、間隙部（左係合部用開口部）Ｄ５０、Ｄ５２が形成され、内側板部Ｄ２６には、突状部（左突状部）７７、７８と、凹部９１が形成されている。
【００８３】
また、外側板部Ａ２２の側辺と外側板部Ｄ２２の側辺の間には、折込み片部（前左折込み片部）Ｄ３０が連設され、折込み片部Ｄ３０は、接着板部（前左接着板部）Ｄ３１と、連結板部（前左連結板部）Ｄ３２とから構成され、接着板部Ｄ３１は、外側板部Ｄ２２のＹ１側の辺部（正面部Ａ２０側の辺部）から折れ線を介して連設され、連結板部Ｄ３２は、接着板部Ｄ３１と外側板部Ａ２２間に連設され（すなわち、接着板部Ｄ３１からは辺部Ｄ３１ｂから折れ線（第３折込み用折れ線）を介して連設されている）、内側板部Ｄ２６のＹ１側の辺部（正面部Ａ２０側の辺部）からは接着板部（第２前左接着板部）Ｄ３４が折れ線を介して連設され、接着板部Ｄ３１の陳列具５の展開状態における接着板部Ｄ３４側には突片部（第１突片部）８３ａが突出して形成され、接着板部Ｄ３４の陳列具５の展開状態における接着板部Ｄ３１側には、突片部（第２突片部）８３ｂが突出して形成されている。接着板部Ｄ３１と突片部８３ａの境界と、接着板部Ｄ３４と突片部８３ｂの境界は、図８における一点鎖線に示す位置となる。陳列具５の展開状態において、折込み片部Ｄ３０は折込み片部Ｂ３０と線対称（左右線対称）である以外は同一の構成であり、接着板部Ｄ３１は接着板部Ｂ３１と線対称（左右線対称）である以外は同一の構成であり、連結板部Ｄ３２は連結板部Ｂ３２と線対称（左右線対称）である以外は同一の構成であり、接着板部Ｄ３４は接着板部Ｂ３４と線対称（左右線対称）である以外は同一の構成であり、突片部８３ａは突片部８１ａと線対称（左右線対称）である以外は同一の構成であり、突片部８３ｂは突片部８１ｂと線対称（左右線対称）である以外は同一の構成であるので、詳しい説明を省略する。
【００８４】
なお、連結板部Ｄ３２は、接着板部Ｄ３１の辺部Ｄ３１ｂ（外側板部Ｄ２２の側辺に対して４５度をなす直線状の辺部）から折れ線（第３折込み用折れ線）を介して連設されている。
【００８５】
また、突片部８３ａと突片部８３ｂは折れ線Ｊ８３を介して連設されているので、陳列具５を展開した状態では、穴部Ｄ６０が形成されている。
【００８６】
また、接着板部Ｄ３１は、図５に示すように、外側板部Ｄ２２に対して折り返されて、外側板部Ｄ２２に接着され、接着板部Ｄ３４は、図５に示すように、内側板部Ｄ２６に対して折り返されて、内側板部Ｂ２６に接着される。
【００８７】
また、外側板部Ｃ２２の側辺と外側板部Ｄ２２の側辺の間には、折込み片部（後左折込み片部）Ｄ４０が連設され、折込み片部Ｄ４０は、接着板部（後左接着板部）Ｄ４１と、連結板部（後左連結板部）Ｄ４２とから構成され、接着板部Ｄ４１は、外側板部Ｄ２２のＹ２側の辺部（背面部Ｃ２０側の辺部）から折れ線を介して連設され、連結板部Ｄ４２は、接着板部Ｄ４１と外側板部Ｃ２２間に連設され（すなわち、接着板部Ｄ４１からは辺部Ｄ４１ｂから折れ線（第４折込み用折れ線）を介して連設されている）、内側板部Ｄ２６のＹ２側の辺部（背面部Ｃ２０側の辺部）からは接着板部（第２後左接着板部）Ｄ４４が折れ線を介して連設され、接着板部Ｄ４１の陳列具５の展開状態における接着板部Ｄ４４側には突片部（第１突片部）８４ａが突出して形成され、接着板部Ｄ４４の陳列具５の展開状態における接着板部Ｄ４１側には、突片部（第２突片部）８４ｂが突出して形成されている。接着板部Ｄ４１と突片部８４ａの境界と、接着板部Ｄ４４と突片部８４ｂの境界は、図８における一点鎖線に示す位置となる。陳列具５の展開状態において、接着板部Ｄ４１は接着板部Ｂ４１と線対称（左右線対称）である以外は同一の構成であり、連結板部Ｄ４２は連結板部Ｂ４２と線対称（左右線対称）である以外は同一の構成であり、接着板部Ｄ４４は接着板部Ｂ４４と線対称（左右線対称）である以外は同一の構成であり、突片部８４ａは突片部８２ａと線対称（左右線対称）である以外は同一の構成であり、突片部８４ｂは突片部８２ｂと線対称（左右線対称）である以外は同一の構成であるので、詳しい説明を省略する。
【００８８】
なお、連結板部Ｄ４２は、接着板部Ｄ４１の辺部Ｄ４１ｂ（外側板部Ｄ２２の側辺に対して４５度をなす直線状の辺部）から折れ線（第４折込み用折れ線）を介して連設されている。
【００８９】
また、突片部８４ａと突片部８４ｂは折れ線Ｊ８４を介して連設されているので、陳列具５を展開した状態では、穴部Ｄ６２が形成されている。
【００９０】
また、接着板部Ｄ４１は、図５に示すように、外側板部Ｄ２２に対して折り返されて、外側板部Ｄ２２に接着され、接着板部Ｄ４４は、図５に示すように、内側板部Ｄ２６に対して折り返されて、内側板部Ｂ２６に接着される。
【００９１】
また、図５に示す状態では、突片部８３ａと突片部８３ｂは間隙部Ｂ５０の位置に配置され、折れ線Ｊ８３は、間隙部Ｄ５０の内側の辺部（辺部Ｈ２４に沿った辺部）と間隙部Ｄ５０の外側の辺部（辺部Ｈ２６に沿った辺部）間の中心位置（辺部Ｈ２４に沿った辺部と辺部Ｈ２６に沿った辺部と等距離の位置）に設けられている。
【００９２】
また、図５に示す状態では、突片部８４ａと突片部８４ｂは間隙部Ｄ５２の位置に配置され、折れ線Ｊ８４は、間隙部Ｄ５２の内側の辺部（辺部Ｈ２４に沿った辺部）と間隙部Ｄ５２の外側の辺部（辺部Ｈ２６に沿った辺部）間の中心位置（辺部Ｈ２４に沿った辺部と辺部Ｈ２６に沿った辺部と等距離の位置）に設けられている。
【００９３】
陳列具５の組立て状態において、間隙部Ｄ５０から上方に突出する係合部（第３係合部）８３は、突片部８３ａと突片部８３ｂとにより構成され、係合部８３においては、突片部８３ａと突片部８３ｂとを折れ線Ｊ８３を介して折り返して重なった状態となっている（つまり、係合部８３は、折れ線Ｊ８３を介して二つ折りの状態となっている）。また、陳列具５の組立て状態において、間隙部Ｄ５２から上方に突出する係合部（第４係合部）８４は、突片部８４ａと突片部８４ｂとにより構成され、係合部８４においては、突片部８４ａと突片部８４ｂとを折れ線Ｊ８４を介して折り返して重なった状態となっている（つまり、係合部８４は、折れ線Ｊ８４を介して二つ折りの状態となっている）。
【００９４】
なお、外側板部Ｄ２２と縁板部Ｄ２４と内側板部Ｄ２６とで、側壁構成部（左側壁構成部）Ｄ２１が構成され、外側板部Ｄ２２と、縁板部Ｄ２４と、内側板部Ｄ２６と、接着板部Ｄ３１、Ｄ４１と、連結板部Ｄ３２、Ｄ４２と、接着板部Ｄ３４、Ｄ４４とで左側面部Ｄ２０が構成されるが、左側面部Ｄ２０を構成するこれらの部材は、陳列具５の展開状態において、線対称（前後線対称、Ｘ１−Ｘ２方向の中心線を介して線対称）に形成されている。
【００９５】
なお、図５に示すように、接着板部Ｄ３１、Ｄ４１が外側板部Ｄ２２に接着した状態において、平面視において、接着板部Ｄ３１、Ｄ４１が外側板部Ｄ２２の領域から外側にはみ出ることがなく、また、接着板部Ｄ３４、Ｄ４４が内側板部Ｄ２６に接着した状態において、平面視において、接着板部Ｄ３４、Ｄ４４が内側板部Ｄ２６の領域から外側にはみ出ることがない。
【００９６】
上記構成の陳列具５の使用方法について説明する。陳列具５を組み立てる前の状態では、図５、図９のように扁平状に折り畳んだ状態となっているので、図５、図９の状態で保管や運搬を行なう。
【００９７】
図５、図９の状態から陳列具５を組み立てるには、外側板部Ｂ２２と外側板部Ｄ２２を底板部１０に対して起立させる。
【００９８】
すると、接着板部Ｂ３１が連結板部Ｂ３２に対して折曲するとともに、連結板部Ｂ３２が外側板部Ａ２２に対して折曲し、接着板部Ｄ３１が連結板部Ｄ３２に対して折曲するとともに、連結板部Ｄ３２が外側板部Ａ２２に対して折曲するので、外側板部Ａ２２が起立し、同様に、接着板部Ｂ４１が連結板部Ｂ４２に対して折曲するとともに、連結板部Ｂ４２が外側板部Ｃ２２に対して折曲し、接着板部Ｄ４１が連結板部Ｄ４２に対して折曲するとともに、連結板部Ｄ４２が外側板部Ｃ２２に対して折曲するので、外側板部Ｃ２２が起立する（図１０参照）。
【００９９】
その後、図１０に示すように、内側板部Ａ２６と内側板部Ｃ２６が上方を向いた状態で、内側板部Ｂ２６と内側板部Ｄ２６とを内側に回動させて、突状部７５、７６、７７、７８を底板部１０に設けられた穴部１５、１６、１７、１８に係止させる。つまり、突状部７５を穴部１５に係止させ、突状部７６を穴部１６に係止させ、突状部７７を穴部１７に係止させ、突状部７８を穴部１８に係止させる。このように、係合部８１〜８４を係合させるための穴部１５〜１８を利用して、突状部７５〜７８を係止させることができる。これにより、外側板部Ｂ２２の内側に外側板部Ｂ２２に略平行に内側板部Ｂ２６が設けられ、外側板部Ｄ２２の内側に外側板部Ｄ２２に略平行に内側板部Ｄ２６が設けられる。
【０１００】
外側板部Ｂ２２の内側に外側板部Ｂ２２に略平行に内側板部Ｂ２６が設けられた状態では、突片部８１ａと突片部８１ｂとからなる係合部８１が間隙部Ｂ５０から上方に突出し、突片部８２ａと突片部８２ｂとからなる係合部８２が間隙部Ｂ５２から上方に突出し、また、外側板部Ｄ２２の内側に外側板部Ｄ２２に略平行に内側板部Ｄ２６が設けられた状態では、突片部８３ａと突片部８３ｂとからなる係合部８３が間隙部Ｄ５０から上方に突出し、突片部８４ａと突片部８４ｂとからなる係合部８４が間隙部Ｄ５２から上方に突出する。
【０１０１】
その後、内側板部Ａ２６を内側に回動させて、突状部７１、７２を底板部１０に設けられた穴部１１、１２に係止させる（図１１参照）。つまり、突状部７１を穴部１１に係止させ、突状部７２を穴部１２に係止させる。これにより、外側板部Ａ２２の内側に外側板部Ａ２２に略平行に内側板部Ａ２６が設けられる。
【０１０２】
また、内側板部Ｃ２６を内側に回動させて、内側板部Ｃ２６を外側板部Ｃ２２の正面側に位置させる。その際、底フラップＣ２７と横フラップＣ２８、Ｃ２９を内側板部Ｃ２６に対して背面側に折曲させ、底フラップＣ２７が底板部１０に接し、横フラップＣ２８が内側板部Ｂ２６に接し、横フラップＣ２９が内側板部Ｄ２６に接するようにし、横フラップＣ２８の辺部Ｃ２８ｃと横フラップＣ２９の辺部Ｃ２９ｃが外側板部Ｃ２２の正面側の面に当接した状態で、内側板部Ｃ２６が固定され、内側板部Ｃ２６は、底板部１０に対して上方にいくほど背面側となるように傾斜した状態となる。以上のようにして、陳列具５が図１２及び図１〜図３に示すような組立て状態となる。
【０１０３】
組立て状態の陳列具５においては、係合部８１、８２が縁板部Ｂ２４の上端から上方に突出し、係合部８３、８４が縁板部Ｄ２４の上端から上方に突出しているので、上側の陳列具５の係合部８１、８２、８３、８４と下側の陳列具５の穴部１５、１６、１７、１８を係合させることにより、図１３に示すように、上側の陳列具５と下側の陳列具５を積み重ねて使用することができる。上側の陳列具５の係合部８１、８２、８３、８４と下側の陳列具５の穴部１５、１６、１７、１８とが係合することにより、積重ね状態を安定して維持させることができる。
【０１０４】
正面部Ａ２０の上端の高さは、右側面部Ｂ２０と背面部Ｃ２０と左側面部Ｄ２０の上端の高さよりも低く形成され、右側面部Ｂ２０の上端の高さと背面部Ｃ２０の上端の高さと左側面部Ｄ２０の上端の高さは略同一に形成されているので、複数の陳列具５の積み重ねに支障はない。なお、背面部Ｃ２０の上端の高さは、右側面部Ｂ２０や左側面部Ｄ２０よりも低く形成してもよい。つまり、陳列具５の積重ねを可能とするには、右側面部Ｂ２０（側壁構成部Ｂ２１としてもよい）の上端の高さと左側面部Ｄ２０（側壁構成部Ｄ２１としてもよい）の上端の高さとが、背面部Ｃ２０の上端の高さ以上の高さであればよい。
【０１０５】
陳列具５によれば、正面部Ａ２０の上端が背面部Ｃ２０の上端よりも低く形成されているので、陳列具５を積み重ねた状態で、下側の陳列具５における正面部Ａ２０よりも上側が正面側に開口し、複数の陳列具５を積み重ねた状態でも、陳列具５内に陳列された被陳列物を陳列具５の正面側から取り出すことができる。
【０１０６】
また、底板部１０は１枚の板部により形成されているので、重量の大きい被陳列物を陳列した状態で商品陳列具を持ち上げても底が抜けることがない。
【０１０７】
なお、外側板部Ａ２２と外側板部Ｃ２２において、横方向の長さが底板部１０から離れるに従い短くなる台形形状に形成されているので、係合部８１、８２、８３、８４を穴部１５、１６、１７、１８の真上の位置に位置させることができる。すなわち、外側板部Ｂ２２と内側板部Ｂ２６の間の下側には連結板部Ｂ３２が設けられるため、外側板部Ｂ２２と内側板部Ｂ２６間の間隔は、下方にいくほど広くなり（図３参照）、外側板部Ａ２２、Ｃ２２が台形形状ではなく長方形状の場合には、外側板部Ｂ２２が若干外側に傾斜した構成となってしまい、同様に、外側板部Ｄ２２と内側板部Ｄ２６の間の下側には連結板部Ｄ３２が設けられるため、外側板部Ｄ２２と内側板部Ｄ２６間の間隔は、下方にいくほど広くなり、外側板部Ａ２２、Ｃ２２が台形形状ではなく長方形状の場合には、外側板部Ｄ２２が若干外側に傾斜した構成となってしまうが、外側板部Ａ２２と外側板部Ｃ２２が台形形状となっているので、外側板部Ｂ２２、Ｄ２２が外側に傾斜することがなく、係合部８１、８２、８３、８４を穴部１５、１６、１７、１８の真上の位置に位置させることができ、陳列具５を積み上げる際に、下段の陳列具５の係合部８１、８２、８３、８４と上段の陳列具５の穴部１５、１６、１７、１８の係合に支障がない。
【０１０８】
また、陳列具５においては、係合部８１、８２、８３、８４が折れ線を介して２つの突片部が連設され、該折れ線を介して二つ折りの構成となっているので、係合部８１〜８４の強度を十分得ることができる。また、係合部８１〜８４は間隙部Ｂ５０〜Ｄ５２から突出していて、係合部８１〜８４の基端部分は外側板部と内側板部によりカバーされた状態となっているので、係合部８１〜８４が容易に倒れることがなく、その点でも強度を十分得ることができ、また、穴部１５〜１８との係合に支障が出ることがない。
【０１０９】
また、２つの突片部は折れ線を介して連設されているので、２つの突片部が横方向にずれてしまうことがなく、係合部の穴部への係合に支障が出ることがない。
【０１１０】
すなわち、特許文献４及び特許文献５に示すように、底面部と底面部の相対する一方の辺部から連設された第１側面部と相対する他方の辺部から連設された第２側面部とを有する箱体で、第１側面部の上端に第１突片が設けられるとともに、第１側面部と第２側面部間の折込み片に第２突片が設けられ、箱体を組み立てた際に、第１突片と第２突片とが重ね合わされるものが存在し、特許文献３及び特許文献４の構成においては、箱体を積み重ねた際に、２つの突片が重ね合わさって上側の箱体の穴部に嵌合するので、上側の箱体との嵌合強度が向上するが、２つの突片の位置合わせがずれるおそれがあり、２つの突片がずれて重ね合わさった場合には、穴部に容易に嵌合させることができないおそれがある。例えば、２つの突片が横方向にずれて重ね合わさった場合には、穴部への嵌合が困難となるおそれがある。また、重なり合う突片が接着されていないので、突片としての強度が十分でない。すなわち、重なり合う突片が接着されていないと、１つの突片が他の突片の反対側に折れてしまうおそれがあり、強度が十分でない。
【０１１１】
しかし、本実施例の陳列具５においては、係合部８１〜８４の強度を十分得ることができ、２つの突片部が横方向にずれてしまうことがなく、係合部の穴部への係合に支障が出ることがない。
【０１１２】
また、特許文献６に示すように、底面部の辺部から外板部、上板部、内板部が順に連設され、外板部から上板部を経て内板部に伸びる一対の切断線を設け、該一対の切断線の間に上板部より上方に突出する係止部を形成するものが存在し、特許文献６の構成では、一対の切断線を設けることにより形成された係止部は、全体が露出した構成となっているので、係止部の基端部分から倒れてしまうおそれがあり、係止部の強度が十分でないという問題があり、係止部が倒れてしまうと穴部との係合ができなくなってしまう。
【０１１３】
しかし、本実施例の陳列具５においては、係合部８１〜８４の基端部分は外側板部と内側板部によりカバーされた状態となっているので、係合部８１〜８４が容易に倒れることがなく、その点でも強度を十分得ることができ、また、穴部１５〜１８との係合に支障が出ることがない。
【０１１４】
また、外側板部Ｂ２２と外側板部Ｄ２２を底板部１０に対して起立させることにより、自動的に外側板部Ａ２２と外側板部Ｃ２２が起立するので、組立てが容易である。
【０１１５】
なお、上記の説明において、係合部８１〜８４が突出するための間隙部（すなわち、外側板部の上端と内側板部の上端の間における縁板部が形成されていない領域）が設けられているとしたが、縁板部に穴部が形成された構成としてもよい。つまり、この場合には、穴部の外側板部側の辺部と縁板部と外側板部間の折れ線の間に間隔が形成され、穴部の内側板部側の片部と縁板部と内側板部間の折れ線の間に間隔が形成されていて、そのような穴部が形成された縁板部Ｂ２４、Ｄ２４の場合には、上記のように３つの領域に分割されるのではなく、縁板部Ｂ２４、Ｄ２４の一方の端部から他方に端部にまで連続した構成となる。
【０１１６】
また、上記の説明では、接着板部Ｂ３４、Ｂ４４、Ｄ３４、Ｄ４４が設けられ、係合部８１が突片部８１ａと突片部８１ｂとから構成され、係合部８２が突片部８２ａと突片部８２ｂとから構成され、係合部８３が突片部８３ａと突片部８３ｂとから構成され、係合部８４が突片部８４ａと突片部８４ｂとから構成されるとしたが、接着板部Ｂ３４、Ｂ４４、Ｄ３４、Ｄ４４と突片部８１ｂ、８２ｂ、８３ｂ、８４ｂの構成を省略して、各係合部は、突片部８１ａ、８２ａ、８３ａ、８４ａのみにより構成してもよい。つまり、その場合には、突片部８１ａが第１係合部となり、突片部８２ａが第２係合部となり、突片部８３ａが第３係合部となり、突片部８４ａが第４係合部となる。
【０１１７】
また、上記の説明において、内側板部Ａ２６は縁板部Ａ２４から連設されるとしたが、縁板部Ａ２４の構成を省略して、内側板部Ａ２６が外側板部Ａ２２の底板部１０側とは反対側の辺部から折れ線を介して連設された構成としてもよい。
【符号の説明】
【０１１８】
５  陳列具
１０  底板部
Ａ２０  正面部
Ｂ２０  右側面部
Ｃ２０  背面部
Ｄ２０  左側面部
Ａ２２、Ｂ２２、Ｃ２２、Ｄ２２  外側板部
Ａ２４、Ｂ２４、Ｄ２４  縁板部
Ａ２６、Ｂ２６、Ｃ２６、Ｄ２６  内側板部
Ｂ３０、Ｂ４０、Ｄ３０、Ｄ４０  折込み片部
Ｂ３１、Ｂ３４、Ｂ４１、Ｂ４４、Ｄ３１、Ｄ３４、Ｄ４１、Ｄ４４  接着板部
Ｂ３２、Ｂ４２、Ｄ３２、Ｄ４２  連結板部
１１、１２、１５、１６、１７、１８、Ｂ５０、Ｂ５２、Ｄ５０、Ｄ５２  穴部
７１、７２、７５、７６、７７、７８  突状部
８１、８２、８３、８４  係合部
８１ａ、８１ｂ、８２ａ、８２ｂ、８３ａ、８３ｂ、８４ａ、８４ｂ  突片部
【図１】
0003197492.tif 000003
【図２】
0003197492.tif 000004
【図３】
0003197492.tif 000005
【図４】
0003197492.tif 000006
【図５】
0003197492.tif 000007
【図６】
0003197492.tif 000008
【図７】
0003197492.tif 000009
【図８】
0003197492.tif 000010
【図９】
0003197492.tif 000011
【図１０】
0003197492.tif 000012
【図１１】
0003197492.tif 000013
【図１２】
0003197492.tif 000014
【図１３】
0003197492.tif 000015